(57)【要約】  本発明は、第１のシリコーン層５１０を備える層スタック５００を提供し、第１のシリコーン層５１０が、第１の表面５１１と第２の表面５１２とを含み、第１のシリコーン層５１０が、２００〜３８０ｎｍの範囲から選択された１つ又は複数の波長を含むＵＶ放射光に対して透過性であり、第１の表面５１１の第１の側に構成された第１の層要素であって、第１の層要素が、直接的に、又は、２００〜３８０ｎｍの範囲から選択された１つ又は複数の波長を含むＵＶ放射光に対して透過性である第１の中間層を介して、第１の表面５１１と化学結合により結び付けられ、第１の層要素が、第１のシリコーン層５１０と組成において異なる第１の層を少なくとも備え、第１の層要素が、２００〜３８０ｎｍの範囲から選択された１つ又は複数の波長を含むＵＶ放射光に対して透過性である、第１の層要素５１１と、第２の表面５１２の第２の側に構成された第２の層要素６２０であって、第２の層要素６２０が、直接的に、又は第２の中間層を介して、第２の表面５１２と化学結合により結び付けられ、第２の層要素６２０が、第１のシリコーン層５１０と組成において異なる第２の層１２２０を少なくとも備える、第２の層要素６２０とのうちの１つ又は複数を、層スタック５００がさらに備える。
2020527483.tif 000002
【特許請求の範囲】
【請求項１】
第１のシリコーン層を備える層スタックであって、前記第１のシリコーン層が、前記第１のシリコーン層の厚さを規定する第１の表面と第２の表面とを含み、前記第１のシリコーン層が、２００〜３８０ｎｍの範囲から選択された１つ又は複数の波長を含むＵＶ放射光に対して透過性であり、前記層スタックが、
前記第１の表面の第１の側に構成された第１の層要素であって、前記第１の層要素が、直接的に、又は、２００〜３８０ｎｍの範囲から選択された１つ又は複数の波長を含むＵＶ放射光に対して透過性である第１の中間層を介して、前記第１の表面と化学結合により結び付けられ、前記第１の層要素が、前記第１のシリコーン層と組成において異なる第１の層を少なくとも備え、前記第１の層要素が、２００〜３８０ｎｍの範囲から選択された１つ又は複数の波長を含むＵＶ放射光に対して透過性である、第１の層要素と、
前記第２の表面の第２の側に構成された第２の層要素であって、前記第２の層要素が、直接的に、又は第２の中間層を介して、前記第２の表面と化学結合により結び付けられ、前記第２の層要素が、前記第１のシリコーン層と組成において異なる第２の層を少なくとも備える、第２の層要素と、
のうちの１つ又は複数をさらに備える、
層スタック。
【請求項２】
前記層スタックが、前記第２の層要素を少なくとも備え、前記第２の層要素が、（ａ）ＵＶ放射光に対して反射性であることと、（ｂ）物体に前記層スタックを接着するために接着性であることと、（ｃ）前記層スタックを補強することと、（ｄ）前記第１のシリコーン層に対して保護作用のあることとからなる群から選択された１つ又は複数の機能をもつ、
請求項１に記載の層スタック。
【請求項３】
前記第２の層要素が、（ｉ）アルミニウム層と、（ｉｉ）粒子状反射材料を備えるシリコーン層と、（ｉｉｉ）粒子状反射材料を備えるポリマー層と、（ｉｖ）前記第１のシリコーン層の屈折率より低い屈折率をもつポリマー層とのうちの１つ又は複数を備え、前記ポリマー層が、フッ素重合体を含む、
請求項１又は請求項２に記載の層スタック。
【請求項４】
前記第２の層要素が、（ａ）中に埋設された粒子状反射材料を含むシロキサンと、（ｂ）中に埋設された粒子状反射材料を含むポリマー材料とのうちの１つ又は複数を備える層を備え、前記ポリマー材料が、フッ素重合体を含み、前記粒子状反射材料が、窒化ホウ素を含む、
請求項１から請求項３のいずれか一項に記載の層スタック。
【請求項５】
前記第２の層要素が、少なくとも１００ｎｍの範囲から選択された厚さをもつアルミニウム層を備える、
請求項１から請求項４のいずれか一項に記載の層スタック。
【請求項６】
前記層スタックが、前記第１の層要素を少なくとも備え、前記第１の層要素が、（ａ）ＵＶ放射光に対して部分的に反射性であることと、（ｂ）前記層スタックを補強することと、（ｃ）前記第１のシリコーン層に対して保護作用のあることとからなる群から選択された１つ又は複数の機能をもつ、
請求項１から請求項５のいずれか一項に記載の層スタック。
【請求項７】
前記第１の層要素が、（ｉ）５〜２０ｎｍの範囲から選択された厚さをもつアルミニウム層と、（ｉｉ）シリコーン層と、（ｉｉｉ）フッ素重合体を含むポリマー層とのうちの１つ又は複数を備え、ポリマー材料が、フッ素化エチレン、フッ素化プロピレン、フッ素化エチレンプロピレン、及びフッ素化プロピレンアセテートのうちの１つ又は複数を含む、
請求項１から請求項６のいずれか一項に記載の層スタック。
【請求項８】
前記化学結合が、アミド結合、エステル結合、エーテル結合、及びＳｉ−Ｏ−Ａｌ結合のうちの１つ又は複数を含む、
請求項１から請求項７のいずれか一項に記載の層スタック。
【請求項９】
前記第１の中間層と前記第２の中間層とのうちの１つ又は複数が、前記第１のシリコーン層と異なる組成をもつシリコーン層を備える、
請求項１から請求項８のいずれか一項に記載の層スタック。
【請求項１０】
前記第１の層要素が、フッ素重合体を含むポリマー層を備え、前記第２の層要素が、アルミニウム層及びポリマー層のうちの１つ又は複数を備える、
請求項１から請求項９のいずれか一項に記載の層スタック。
【請求項１１】
前記第２の層要素が、（ｉ）フッ素重合体を含むポリマー層と、（ｉｉ）アルミニウム層と、（ｉｉｉ）ポリマー層とのスタックを備える、
請求項１０に記載の層スタック。
【請求項１２】
前記第１のシリコーン層に埋設された１つ又は複数のソリッドステート光源をさらに備える、
請求項１から請求項１１のいずれか一項に記載の層スタック。
【請求項１３】
表面を備える物体であって、請求項１から請求項１２のいずれか一項に記載の層スタックが、前記表面の少なくとも一部に付着させられた、
物体。
【請求項１４】
（ａ）直接的に、又は第１の中間層を介して、第１のシリコーン層の第１の表面と第１の層要素とを化学結合させることにより結び付けるステップと、（ｂ）直接的に、又は第２の中間層を介して、前記第１のシリコーン層の第２の表面と第２の層要素とを化学結合させることにより結び付けるステップとのうちの１つ又は複数により、（ｉ）前記第１のシリコーン層と、（ｉｉ）前記第１の層要素及び前記第２の層要素のうちの１つ又は複数とを結合させるステップを有する、
層スタックを提供する方法。
【請求項１５】
少なくとも２つの官能基化された材料間に前記結合を提供するステップを有し、前記少なくとも２つの官能基化された材料のうちの１つ又は複数が、官能基により官能基化された前記第１の表面、及び／又は、官能基により官能基化された前記第２の表面により提供され、前記官能基が、アミド結合、エステル結合、エーテル結合、及びＳｉ−Ｏ−Ａｌ結合のうちの１つ又は複数を含む化学結合を形成するための、−ＯＨ基、−ＣＯＯＨ基、−ＮＨ２基、及び−Ｓｉ−Ｈ基からなる群から選択された１つ又は複数を含む、
請求項１４に記載の方法。
【請求項１６】
１つ又は複数のソリッドステート光源が、前記第１のシリコーン層に埋設され、物体の表面の少なくとも一部に前記層スタックを提供するステップをさらに有する、
請求項１４又は請求項１５に記載の方法。
【請求項１７】
ＥＤＣ−ＮＨＳ補助反応を介して前記化学結合を生成するステップを有する、
請求項１４から請求項１６のいずれか一項に記載の方法。
【請求項１８】
官能基化アルミニウムコーティングを備えるポリマー層に、完全には硬化していないシリコーン層を接触させるステップを有し、前記方法が、プライマーにより補助された反応を介してＡｌ−Ｏ−Ｓｉ化学結合を生成するステップをさらに有し、前記プライマーが、（Ｒ１）（Ｒ２）（Ｒ３）Ｍからなる群から選択され、Ｒ１、Ｒ２及びＲ３の各々が、独立してアルコキシル基であり、Ｍが、Ａｌを含む、
請求項１４から請求項１７のいずれか一項に記載の方法。
【請求項１９】
前記プライマーが、Ａｌ［ＯＣＨ（ＣＨ３）Ｃ２Ｈ５］３及びＡｌ［ＯＣ（ＣＨ３）３］３のうちの１つ又は複数を含む、
請求項１８に記載の方法。
【請求項２０】
生物防汚システムとしてＵＶ光源と組み合わされる請求項１から請求項１２のいずれか一項に記載のスタック層の使用。
【発明の詳細な説明】
【技術分野】
【０００１】
本発明は、シリコーン層を備える層スタック、及び、このような層スタックの使用に関する。本発明は、さらに物体の表面にこのような層スタックを含むこのような物体に関する。本発明は、さらに、このような層スタックを組み立てる方法に関する。
【背景技術】
【０００２】
生物防汚方法が当技術分野において知られている。米国特許出願公開第２０１３／００４８８７７号は、例えば、紫外光を生成するように構成された紫外光源と、被保護面の近くに位置する、及び、紫外光を受光するように結合された光学媒体とを備える、被保護面を生物防汚するためのシステムを説明しており、光学媒体が、被保護面に直交した厚さ方向をもち、厚さ方向に直交した光学媒体の直交した２つの方向が、被保護面と平行であり、紫外光が厚さ方向に直交した、直交した２つの方向のうちの少なくとも一方に光学媒体内を伝播するように、及び、光学媒体の表面に沿った点において、紫外光のそれぞれの部分が光学媒体から逃げるように、光学媒体が紫外光の伝播経路を提供するように構成されている。
【０００３】
米国特許出願公開第２０１４／１４００９１号は、導波路を使用した照明システムを説明している。導波路の縁部又は端部から受光された光は、透過及び全反射に応じて伝播させられる。光の伝播経路に沿って分布した光屈折要素が、光線の面外脱出伝播角度を連続的に変化させ、光入力縁部又は端部からの異なる距離における導波路のコアからの、伝播させられる光の部分の脱出をもたらす。光は小さい面外脱出角度において導波路から中間層内に逃げ、システムから外に光抽出機能部によりさらに方向転換させられる。一実施形態において、照明システムは、コリメートされた光を出射するように構成される。一実施形態において、照明システムは、浅い表面逃がし機能部を含む。一実施形態において、光屈折要素は、導波路のボリュームにわたって分布した前方散乱粒子を含む。追加的なコリメート及び非コリメート照明ユニット及び方法がさらに開示されている。
【発明の概要】
【発明が解決しようとする課題】
【０００４】
生物汚損又は生物的汚損（本明細書において「汚損」又は「生物汚損」としても示される）は、表面における微生物、植物、藻、及び／又は動物の蓄積である。汚損生物間の多様性は非常に多岐にわたり、フジツボ及び海藻の付着をはるかに超えて広がっている。いくつかの推定によると、４０００の生物を含む１７００を超える種が生物汚損の原因とされる。生物汚損は、生物膜の形成及び細菌付着を含むマイクロ汚損と、より大きい生物の付着であるマクロ汚損とに分けられる。生物が定着することを何が防ぐかを特定する確立した化学及び生物学に基づいて、これらの生物は、硬質汚損タイプ又は軟質汚損タイプとしてさらに分類される。石灰質（硬質）汚損生物として、フジツボ、表面を覆うコケムシ、軟体動物、多毛類の、及び他の棲管虫、及びカワホトトギスガイが挙げられる。非石灰質（軟質）汚損生物の例は、海藻、ヒドロ虫、藻及び生物膜「粘着物」である。これらの生物が一緒に汚損コミュニティを形成する。
【０００５】
いくつかの状況において、生物汚損は重大な問題を生み出す。機械が動作を停止し、水口が詰まり、船の船殻がより大きい抗力の影響を受ける。したがって、防汚の話題、すなわち、汚損を除去する、又は汚損が形成されることを防ぐ工程がよく知られている。産業上の工程では、生物汚損を制御するために生物分散剤が使用され得る。あまり管理されていない環境では、殺生物剤を使用したコーティング、熱的処置、又は、エネルギーのパルスを使用して、生物が殺され、又は撃退される。生物が付着することを防ぐ非毒性の機械的技法として、滑りやすい表面をもつ材料又はコーティングを選択すること、又は、支えとなる点がわずかしかないサメ及びイルカの皮膚と同様のナノスケールの表面トポロジーの生成が挙げられる。船の船殻における生物汚損は、抗力の深刻な増加をもたらし、結果として燃料消費の増加をもたらす。最大４０％の燃料消費量の増加が生物汚損に起因し得ると推定される。大きいオイルタンカー又はコンテナ輸送船は、１日あたり最大２００．０００ユーロの燃料を消費し得るので、生物防汚の効果的な方法を使用することにより大幅な節約が可能である。
【０００６】
驚くことに、海水又は湖、川、運河などにおける水に接触する表面における生物汚損を大幅に防ぐために、ＵＶ放射光が効果的に使用されることが見受けられる。本明細書では特に、紫外光又は放射光（ＵＶ）を使用した、光学的方法に基づくアプローチが提示される。十分なＵＶ光を使用することにより、ほとんどの微生物が殺されること、不活性にされること、又は、繁殖不能にされることが見受けられる。この効果は、主にＵＶ光の総光量により支配される。特定の微生物の９０％を殺す典型的な光量は、１０ｍＷ／ｈ／ｍ２である。
【０００７】
特定の実施形態において、経時的な（ＵＶ放射光の）平均光量は、少なくとも１０Ｊ／ｍ２の範囲から選択され、例えば、特に１００〜３０００Ｊ／ｍ２の範囲から選択される。
【０００８】
光出射面の面積に対して、少なくとも約０．５×１０−９ワット／ｍｍ２、例えば少なくとも約１０−９ワット／ｍｍ２、例えば少なくとも約１．５×１０−９ワット／ｍｍ２、例えば１０−６ワット／ｍｍ２以下、例えば０．５×１０−７ワット／ｍｍ２以下、例えば１０−７ワット／ｍｍ２以下の実質的に一定のＵＶ放射光を使用することにより、特に良好な結果が達成される。
【０００９】
しかし、ＵＶ放射光は、水に関連した（例えば海洋の）物体の防汚以外の用途にも使用され得る。ＵＶ放射光は、例えば物体をきれいにするために、又は、細菌から物体をきれいに維持するためにも使用される。
【００１０】
「水に関連した」という用語及び同様の用語は、真水における用途及び海水における用途との両方（及び、もちろんさらに汽水における用途）を表す。
【００１１】
過去に、防汚光を生成するための少なくとも１つの光源と、光学媒体を通して防汚光の少なくとも一部を配光するための光学媒体とを備え、光学媒体が、ライティングモジュールが被保護面内に、被保護面に、及び／又は被保護面付近に配置されたときに、被保護面から離れる方向に、配光された防汚光を出射するための出射面を備え、出射面が、実質的に平面の表面である、被保護面の防汚のためのライティングモジュールが提案されている。特に、光学媒体は、シリコーン材料、特に、メチルシリコーン、及び／又は、ＵＶグレードシリカ材料からなる群から選択されたシリコーン材料を含む。光導波路に共通した問題は、いくつかの部分において過度に多くの光が逃げ、他の部分において過度に少ない光しか逃げないことであり、このことが、逃がされる光の最適ではない配光をもたらす。例えば、表面における位置に応じて、光が外に出る必要があり、又は、例えばＬＥＤのより近くでは、光導波路として機能する（シリコーン）層内に光が維持される必要がある。後者は、いくつかの手法で行われ得る。例えば、ＬＥＤの近くにおける小さい反射体又はレンズを適用することによるコリメーションが使用される。しかし、これは追加的な光学要素を含み、追加的な光学要素はモジュールをより高価にし、製造工程をより複雑にする。さらに、モジュールの寸法も大幅に増加する。本明細書において、「シリコーン」及び「シロキサン」という用語は交換可能に使用される。本例において、「シロキサン」という用語は、特にポリシロキサン、すなわち室温において固体であり、Ｓｉ−Ｏ−Ｓｉ−基の骨格を含む材料を表す。
【００１２】
さらに、光導波路は、化学薬品に接触した場合に劣化し、又は、比較的薄い（がＵＶ透過性の）層として提供された場合、十分な強度をもたないことがある。
【００１３】
したがって、好ましくはさらに上記の欠点の１つ又は複数を少なくとも部分的に解消する、代替的な層スタックを提供することが本発明の一態様である。さらに、このような層スタックを提供する方法を提供することが本発明の一態様である。
【００１４】
本発明は、従来技術の欠点のうちの少なくとも１つを克服又は改善すること、又は、有用な代替例を提供することを目的とする。
【００１５】
本明細書において、追加的な機能を提供する、及び、光学層が薄い、及び／又は、例えば高透過性シリコーンであることを可能にする１つ又は複数の層に、高透過性の光学層、特にシリコーン層が組み合わされるという解決策が提案される。高透過性シリコーンは、例えば、架橋を可能にするシロキサン骨格における低含有量の官能基、架橋を円滑化する低含有量の触媒分子、及び、任意選択的に、触媒を安定化させる、触媒のＵＶ吸収を防ぐ（高含有量の）触媒保護分子により特徴付けられる。特にＵＶ−Ｃに対する、さらには特に約２７０ｎｍに対する透過率は、少なくとも約５０％／１０ｍｍ、特に少なくとも約７０％／１０ｍｍ、さらには特に少なくとも約８０％／１０ｍｍである。
【課題を解決するための手段】
【００１６】
したがって、第１の態様において、本発明は、第１の層、特に、ＵＶ放射光に対して比較的高い透過率をもつ層、実施形態において、特に第１のシリコーン層を備える層スタックを提供し、（本明細書において、シリコーン層の特定の実施形態を表すことにより、又は、「光導波路」を表すことによってもさらに示される）第１の層が、（第１のシリコーン層の厚さ（ｄ１）を規定する）第１の表面と第２の表面とを含み、第１のシリコーン層が、２００〜３８０ｎｍの範囲から選択された１つ又は複数の波長を含むＵＶ放射光に対して特に透過性であり、層スタックが、（ｉ）第１の表面の第１の側に構成された第１の層要素であって、特定の実施形態において、第１の層要素が、直接的に、又は、２００〜３８０ｎｍの範囲から選択された１つ又は複数の波長を含むＵＶ放射光に対して透過性である第１の中間層を介して、第１の表面と化学結合により結び付けられ、第１の層要素が、第１のシリコーン層と組成において異なる第１の層を少なくとも備え、第１の層要素が、２００〜３８０ｎｍの範囲から選択された１つ又は複数の波長を含むＵＶ放射光に対して透過性である、第１の層要素と、（ｉｉ）第２の表面の第２の側に構成された第２の層要素であって、特定の実施形態において、第２の層要素が、直接的に、又は、第２の中間層を介して、第２の表面と化学結合により結び付けられ、第２の層要素が、第１のシリコーン層と組成において異なる第２の層を少なくとも備える、第２の層要素とのうちの１つ又は複数をさらに備える。
【００１７】
さらなる一態様において、本発明は、表面、例えば外面を備える物体をさらに提供し、本明細書において規定される層スタックは、表面の少なくとも一部に付着させられる。
【００１８】
さらに異なる別の一態様において、本発明は、例えば特に本明細書において規定される層スタックを提供する方法を提供し、本方法は、（ｉ）直接的に、又は第１の中間層を介して（本明細書においてさらにシリコーン層の特定の実施形態を表すことによっても示される）第１の層の第１の表面と第１の層要素とを化学結合させることにより結び付けることと、（ｉｉ）直接的に、又は第２の中間層を介して、シリコーン層の第２の表面と第２の層要素とを化学結合させることにより結び付けることとのうちの１つ又は複数により、（ｉ）第１の層、特に、ＵＶ放射光及び／又は可視光に対して、特にＵＶ放射光に対して、比較的高い透過率をもつ層、実施形態において特に第１のシリコーン層と、（ｉｉ）第１の層要素と第２の層要素とのうちの１つ又は複数とを結合することを有する。
【００１９】
このような層スタックを含むことにより、生物防汚システムとしてＵＶ光源と組み合わせて使用され得る層を提供することが可能である。さらに、このような層スタックは、高いＵＶ透過性及び比較的高効率の導出を伴う（本明細書において「光導波路」としても示される）導波路を含む。またさらに、このような層スタックは、ＵＶを吸収し（及び、それにより層スタックの劣化につながり）得る分子又は他の化学種に対して比較的高い強度及び／又は不浸透性をもつ。さらに、このような層スタックは、接着特性をもつ。さらに、層スタック内の２つ以上の層が化学結合しているので、このような層スタックは比較的高い安定性をもつ。したがって、このような層スタックを含むことにより、分子が光導波路に入ることを実質的に阻止することが可能である。このような分子、例えば有機分子は、（経時的に）光導波路のＵＶ透過性の低下につながる。さらに、このような光導波路要素を使用すると、導出側において光の一部が全反射に起因して反射されるので、光導波路にわたってＵＶ放射光を（より良好に）広げることが可能であり、光導波路にわたるＵＶ放射光のさらなる広がりにつながる。さらに、このような層スタックを含むことにより、光導波路の透過性を高めることが可能であり、このことが、実施形態において、機械的により弱いがＵＶ透過性のより高いシリコーンを使用することを示唆する。層要素を含むことにより、機械的強度が結果的に保持され、又は、改善されさえする。さらに光導波路の厚さは薄くされる。さらに、このような層スタックを含むことにより、望ましくない側において逃げるＵＶ放射光（例えば、第２の光導波路面において逃げるＵＶ放射光）が、光導波路内に反射されて戻る。またさらに、このような層スタックを含むことにより、接着層を提供することが可能である。例えば、シリコーン光導波路は物体に接着するときに困難さをもたらす。しかし、光導波路と適切に結合する、及び接着特性をもつ追加層が提供された場合、この問題が解決される。１つ又は複数の層が、１つ又は複数の機能をもつことに留意されたい。例えば、接着層は、光導波路に（全）反射性をさらに提供する。
【００２０】
したがって、一態様において本発明は、生物防汚システムを提供する。さらに異なるさらなる一態様において、本発明は、生物防汚システムとして、ＵＶ光源と（機能的に）組み合わされた本明細書において規定されるスタック層の使用方法をさらに提供する。
【００２１】
ここまでに示されるように、本発明は、層スタックを提供する。層スタックは、少なくとも２つの層を備える。さらに、特に層スタックの少なくとも２つの層が互いに化学結合している。したがって、層スタックは２つ以上の層の単なる積層体を備えるだけでなく、少なくとも２つの（近接した）層が互いに化学結合した積層体を備える。これは、層スタックの耐用期間中に機械的応力などにさらされる層スタックの安定性を追加する。
【００２２】
層スタックは、第１の層を備える。この第１の層は、特に（「光導波路」としても示される）導波路を構成する。第１の層は、ＵＶ放射光を導波するために使用されてよい。第１の層は、光学媒体としても示され、特定の実施形態においてシリコーンを含んでよい。光学媒体は、表面に適用するために（シリコーン）ホイルとして提供されてよい。実施形態において、ホイルは２〜３ミリメートルから数センチメートル、例えば０．０５〜５ｃｍ、例えば０．１〜５ｃｍ、例えば０．２〜２ｃｍ程度の大きさの厚さをもつ。実施形態において、何十又は何百平方メートル程度の大きさの寸法をもつ大幅に大きいホイルを提供するために、ホイルが厚さ方向に直交した任意の方向に実質的に限定されない。ホイルは、防汚タイルを提供するために、ホイルの厚さ方向に直交した、直交する２つの方向に実質的に寸法を限定されてよく、別の実施形態において、ホイルは、防汚ホイルの長尺ストリップを提供するために、ホイルの厚さ方向に直交した１方向のみに実質的に寸法を限定される。したがって、光学媒体は、タイル又はストリップとして提供されてよい。
【００２３】
層は特に、ＵＶ放射光及び／又は可視光、特にＵＶ放射光に対して比較的高い透過率をもつ。特に、光学層は、ＵＶ放射光に対して透過性である。したがって、特に光学層の材料は、ＵＶ放射光に対して透過性である。したがって、この材料は、本明細書においてＵＶ放射光透過性光学層材料としても示される。例えば、光学層の層高さにより、光源からのＵＶ放射光の導出（以下も参照されたい）が制御され得る。本明細書、「透過性」は、例えば、（光導波路から逃げる）光源のＵＶ放射光の少なくとも５％、特に少なくとも１０％、例えばさらには特に少なくとも２０％、例えば少なくとも４０％、例えば４０〜９５％の範囲内、又は、さらにはより高い％が、光学層を通して透過させられることを示してよい。したがって、この透過は、例えば入射角に起因して光導波路内に維持されない放射光に適用されることに留意されたい。本例において、透過率の値は、特に、層厚に直交して伝播する放射光を表す。透過率又は光透過性は、材料に対して第１の強度をもつ特定の波長における光を提供することと、材料を通した透過後に測定されたその波長における光の強度を、材料に対してその特定の波長において提供される光の第１の強度に関連付けることとにより決定され得る（Ｅ−２０８  ａｎｄ  Ｅ−４０６  ｏｆ  ｔｈｅ  ＣＲＣ  Ｈａｎｄｂｏｏｋ  ｏｆ  Ｃｈｅｍｉｓｔｒｙ  ａｎｄ  Ｐｈｙｓｉｃｓ、６９ｔｈ  ｅｄｉｔｉｏｎ、１０８８−１９８９をさらに参照されたい）。特定の実施形態において、ＵＶにおける１つ又は複数の波長に対する透過率は、光導波路の長さにわたって少なくとも１％、例えば少なくとも２％、例えば少なくとも５％、例えば少なくとも１０％である。
【００２４】
特定の実施形態においてＵＶ放射光を使用した垂直照射のもとでの、厚さ１ｍｍの（シリコーン又は水などの）材料の層を通る、特にさらには厚さ５ｍｍの材料の層を通る、ＵＶにおける波長における、特に例えば２８０ｎｍといった、本明細書において説明される放射源により生成された放射光の波長における、又は放射光の波長範囲におけるＵＶ放射光、又は、ＵＶＢ及び／又はＵＶＣ放射光の透過率が、少なくとも約５０％、例えば特に少なくとも約６０％、例えばより具体的には少なくとも約８０％、例えば少なくとも約８５％、例えばさらには少なくとも約９０％である場合、材料がＵＶ透過性とみなされる。したがって、実施形態においてＵＶ放射光、特に２８０ｎｍに対する透過率は、少なくとも８０％／ｍｍ、さらには特に少なくとも８０％／５ｍｍ、例えば少なくとも約５０％／１０ｍｍである。「透過率」という用語は、特に内部透過率を表す。「内部透過率」という用語は、吸収によるエネルギー損を表すのに対し、「総透過率」又は「透過率」という用語は、吸収、散乱、反射などを考慮した透過率を表す。透過率は比較的大きいものであってよく、さらには、（上述の）ＵＶ放射光を使用した垂直照射のもとでの厚さ５ｍｍの材料の層を通る総透過率は、少なくとも約８０％、例えば少なくとも約８５％、例えば少なくとも約９０％であってよい。したがって、「ＵＶ−Ｃに対する、さらには特に約２７０ｎｍに対する透過率が少なくとも約５０％／１０ｍｍである」という表現及び同様の表現は、特に、内部透過率を表す。
【００２５】
特定の実施形態において、内部透過率は少なくとも６５％／ｃｍである。
【００２６】
ここまでに示されるように、第１の層は、特に第１のシリコーン層である。第１の層は、第１の表面と第２の表面とを含む。第１の表面及び第２の表面は、第１のシリコーン層の厚さ（ｄ１）を規定し得る。この厚さは、一定であってよく、又は異なってよい。概して、厚さは光導波路にわたって実質的に一定である。特に、厚さは、０．５〜５０ｍｍ、例えば１〜５０ｍｍの範囲から選択される。特定の実施形態において、厚さは、最大５ｍｍであり、例えば０．５ｍｍ〜２．５ｍｍ、例えば１ｍｍ〜２ｍｍの範囲内である。
【００２７】
ここまでに示されるように、この第１の層、特に第１のシリコーン層は、特に２００〜３８０ｎｍの範囲から選択された１つ又は複数の波長を含むＵＶ放射光に対して透過性である。さらなる実施形態において、第１のシリコーン層は、ＵＶ−Ａ、ＵＶ−Ｂ、及びＵＶ−Ｃの範囲のうちの１つ又は複数から選択される１つ又は複数の波長を含むＵＶ放射光に対して特に透過性である。
【００２８】
紫外線（ＵＶ）は、可視スペクトルの短波長側の端及びＸ線放射線帯域により囲まれた電磁波としての光の一部である。ＵＶ光のスペクトル範囲は、定義により約１００ｎｍから４００ｎｍ（１ｎｍ＝１０−９ｍ）の間であり、人の目で視認不能である。ＣＩＥ分類を使用すると、ＵＶスペクトルは、３１５ｎｍから４００ｎｍまでのＵＶＡ（長波長）、２８０ｎｍから３１５ｎｍまでのＵＶＢ（中波長）、及び、１００ｎｍから２８０ｎｍまでのＵＶＣ（短波長）の３つの帯域に再分割される。実際には、多くの光生物学者は、しばしば、３２０ｎｍを上回る波長及び３２０ｎｍ未満の波長の重み付けされた影響として、ＵＶへの曝露により結果的にもたらされる皮膚への影響を議論しており、したがって、代替的な定義を提案している。「可視の」、「可視光」、又は「可視光の出射」という用語は、約３８０〜７８０ｎｍの範囲の波長をもつ光を表す。
【００２９】
短波長ＵＶＣ帯域の光により強い殺菌効果が提供される。加えて、紅斑（皮膚の赤色化）及び結膜炎（目の粘膜の炎症）が、さらに、この形態の光によりもたらされ得る。このような理由から、殺菌ＵＶ光ランプが使用される場合、ＵＶＣ漏れを排除することによりこれらの影響を避けるようにシステムを設計することが重要である。浸された光源の場合、水によるＵＶ光の吸収は十分に強いものであるので、ＵＶＣ漏れが液体表面より上方のヒトに問題がない。したがって、一実施形態において、ＵＶ放射光（防汚光）はＵＶＣ光を含む。さらに異なる別の実施形態において、ＵＶ放射光は、１００〜３００ｎｍ、特に２００〜３００ｎｍ、例えば２３０〜３００ｎｍの波長範囲から選択される放射光を含む。したがって、ＵＶ放射光は、特にＵＶＣ及び最大約３００ｎｍの波長までの他のＵＶ放射光から選択される。１００〜３００ｎｍの範囲内、例えば２００〜３００ｎｍの波長を使用することで良好な結果が得られる。
【００３０】
ここまでに示されるように、第１の層自体は、十分に強くないものであり、又は、物体の表面に簡単に付着させられないものであり、又は、望ましくない種の進入を受けやすいものである。したがって、１つ又は複数のさらなる層が、この第１の層と組み合わされてよい。これは、第１の層にさらなる層を提供することを含意するが、代替的に、又は追加的に、これは、別の層に第１の層を提供することをさらに含意する。別段の指示がない限り、両方の実施形態が、本明細書に含まれる（層スタックを提供する方法を説明する場合は、さらに以下も参照されたい）。したがって、層スタックは、第１の層と、さらに、さらなる層とを少なくとも備える。特定の実施形態において、第１の層の片側又は両側に１つ又は複数の層が提供されてよい。
【００３１】
したがって、特に、層スタックは、第１の表面の第１の側に構成された第１の層要素と、第２の表面の第２の側に構成された第２の層要素とのうちの１つ又は複数をさらに備える。第１の層要素及び第２の層要素は、したがって、実施形態において独立して選択されてよい。したがって、これらのうちの１つ又は両方が存在してよい。各層要素は、少なくとも１つの層を含む。本明細書において、層という用語は、特に、別段の記載がない限り統合された層を表す。
【００３２】
特に、強いスタックを獲得する観点から、２つ以上の層が化学結合する。代替的に、又は追加的に、化学結合した層は、純粋な第１の層、例えばシリコーン層が適用される場合に利用可能でない性質をスタックに提供する（上記の内容も参照されたい）。
【００３３】
したがって、特定の実施形態において、第１の層要素は、直接的に、又は、第１の中間層を介して、第１の表面と化学結合により結び付けられる。代替的に、又は追加的に、特定の実施形態において、第２の層要素は、直接的に、又は、第２の中間層を介して、第２の表面と化学結合により結び付けられる。第１の中間層は、第１の層要素の一部とみなされる。同様に、第２の中間層は、第２の層要素の一部とみなされる。
【００３４】
直接的な結合は、付着を提供する化学結合を使用して第１の層又は第２の層及び別の層が積層体を形成することを意味する。１つ又は複数の中間層が存在することも可能である。したがって、他の実施形態において、第１の層要素及び／又は第２の層要素の結合は、本明細書においてそれぞれ第１の中間層及び第２の中間層として示される中間層を介する。「第１の層」、「第２の層」、「中間層」といった用語は、各々が別々に複数の（異なる）層を表してもよいことに留意されたい。「層」という用語は、結果的に多層体を形成する実質的に同一の層の多層体を表してもよい。
【００３５】
「第１の」及び「第２の」という用語は、実質的に層を区別するために使用されるにすぎない。第１の層要素は、第１の表面に関連する。この第１の層要素は、特に２００〜３８０ｎｍの範囲から選択された１つ又は複数の波長を含むＵＶ放射光に対して特に透過性である。したがって、第１の中間層が適用される場合、さらにこのような中間層は、特に２００〜３８０ｎｍの範囲から選択された１つ又は複数の波長を含むＵＶ放射光に対して透過性である。実施形態に応じて、さらに第２の中間層が、特に２００〜３８０ｎｍの範囲から選択された１つ又は複数の波長を含むＵＶ放射光に対して透過性であり、以下も参照されたい。
【００３６】
第１の層要素は、第１のシリコーン層と組成において異なる第１の層を少なくとも備える。同様に、第２の層要素は、第１のシリコーン層と組成において異なる第２の層を少なくとも備える。
【００３７】
一方の第１の層要素及び／又は第２の層要素の層と、他方の第１の層との間の組成の違いは、例えば、第１の層要素及び／又は第２の層要素のために第１のシリコーン層及び１つ又は複数のフッ素重合体層といった大幅に異なる種類の材料を使用することに基づく。しかし、これは、シリコーンの第１の層と異なる組成物を含む、第１の層要素及び／又は第２の層要素のための１つ又は複数のシリコーン層をさらに使用することにも基づく。この違いは、シロキサン骨格における側基（及び／又は末端基）（例えばメチル、ビニル）、添加物の種類及び濃度、例えば触媒の種類及び濃度、触媒安定化分子、シロキサン鎖の平均長、又は架橋密度などのうちの１つ又は複数にある。第１のシリコーン層は、比較的薄く透過性であるが、比較的弱く、及び／又はＵＶ吸収種の進入を受けやすくもある。第１の層要素と第２の層要素とのうちの１つ又は複数における任意選択的なシリコーン層は、特に、層スタックの性質を改善する機能をもつ。実施形態において、第１の層要素は、（ａ）ＵＶ放射光に対して部分的に反射性であること、（ｂ）層スタックを補強すること、及び（ｃ）第１のシリコーン層に対して保護作用のあることからなる群から選択された１つ又は複数の機能をもつ。このような１つ又は複数の機能は、１つ又は複数の層により提供されてよい。光導波路は比較的薄いものであり、比較的弱いものでもあるので、（第１の光導波路面の側に、及び／又は、第２の光導波路面の側に）補強層を提供することが望ましい場合がある。したがって、実施形態において第１の層要素は、（ｉ）より大きい圧縮強度、（ｉｉ）より大きい接線係数（ヤング率）、及び（ｉｉｉ）光導波路より大きい靭性のうちの１つ又は複数をもつ。例えば、これは、少なくとも５％、例えば少なくとも１０％、例えば少なくとも２０％大きいものであり得る。この手法により、光導波路要素がより高い強度をもつ。
【００３８】
特定の実施形態において、第１の層要素は、（ｉ）アルミニウム層、シリコーン層、及びフッ素重合体を含むポリマー層のうちの１つ又は複数を備え、より具体的には、第１の層要素は、（ｉ）アルミニウム層、及びフッ素重合体を含むポリマー層のうちの１つ又は複数を備える。アルミニウム層は、第１の層要素の透過率の観点から比較的薄い。したがって、実施形態において、第１の層要素は、依然としてＵＶ放射光に対して（ある程度）透過性である、５〜４０ｎｍの範囲から選択された、特に５〜２０ｎｍの範囲内の厚さをもつアルミニウム層を備える。代替的に、又は追加的に、アルミニウム層は、連続した層ではなく、複数の、任意選択的に規則正しくパターン形成された、アルミニウム島状体である。この手法により、アルミニウム島状体は同じ範囲内の、又は、より大きい厚さをもつので、アルミニウム島状体間においてＵＶ透過が起こる。島状体の配光は、規則的であり、若しくは不規則的であり、又は、それらの組合せ（例えば準規則的）であってよい。アルミニウム島状体が適用されるとき、これらの島状体は、より厚いもの、例えば４０〜１００ｎｍ、例えば５０〜９０ｎｍの範囲内である。約１００ｎｍ未満において、Ａｌは、ＵＶ放射光に対して透過性になり始める。例えば、ＬＥＤの真上に約５０〜９０ｎｍのＡｌの島状体を使用することは、依然として防汚効果が得られるレベルに透過率を制限するが、反射光はＬＥＤからさらに伝播し得る。したがって、（水に対する）前層の場合、特にＬＥＤ位置に並べられた（例えばＦＥＰ又は他のフルオロポリマー上の）（部分的に透過性の）Ａｌの島状体が有益である。（例えば例として船舶を向いた）後層において、アルミニウム層は、できる限り反射性であり、したがって、特に少なくとも１００ｎｍの厚さであることを必要とする。したがって、島状体が適用される場合、最大透過率又は最大反射率を得るために島状体と光源とが並べられてよい。
【００３９】
アルミニウム層が連続した層であろうが島状体の分布を伴う層であろうが、アルミニウム層は、層、特にポリマー層に、例えば（プラズマエンハンスト）化学蒸着又は物理蒸着を介して堆積するようにされる。このような層は、シリコーン層であってよいが、また（有機）ポリマー層であってもよい。特に、ポリマー材料は、フッ素化エチレン、フッ素化プロピレン、フッ素化エチレンプロピレン、及びフッ素化プロピレンアセテートのうちの１つ又は複数を含む。このようなポリマー材料は、比較的強く、安定しており、及びＵＶ放射光透過性である。アルミニウム層の一方側は、第１の（シリコーン層）に向けられる。アルミニウム層の別の側は、別の層、例えばシリコーン層又はポリマー層、特にポリマー層、例えばさらには特にフッ素重合体に接触する。
【００４０】
この手法により、実施形態において、第１の層、特にシリコーン層、アルミニウム層、及びさらなる層、特にフッ素重合体を備えるスタックが提供される。第１の層要素は、したがって、実施形態において、アルミニウム層、及びさらなる層、特にフッ素重合体を備える。上述のように、第１の層要素は、ＵＶ放射光に対して、例えば２００〜３８０ｎｍの波長範囲から選択される１つ又は複数の波長に対して特に透過性である。
【００４１】
特に、第１の層は、（したがって、実質的にシリコーン、例えばＬｕｍｉｓｉｌ  Ｌ４００などからなる）光導波路より大きい機械的強度をもつシリコーン層を（さらに）備えてよい。例えば、光導波路と第１の層との両方がシリコーンを含む。しかし、光導波路のＵＶ透過率がより高いものであるのに対し、シリコーン層のＵＶ透過率は、（光導波路に比べて）より小さいものであってよい。
【００４２】
第１の層要素は、ＵＶ放射光の少なくとも一部を少なくとも透過する。しかし、第１の層要素は、さらにＵＶ放射光の一部を反射する。特に、これは、光導波路の材料の屈折率より低い（ＵＶにおける）屈折率をもつＵＶ放射光透過層を使用して達成される（さらに以下を参照されたい）。
【００４３】
代替的に、又は追加的に、第１の層要素は、光導波路内への分子の侵入を阻止する１つ又は複数の層を備える。光導波路内に外側からの分子の（小さい）拡散が存在するので、これは、概して、このような分子、例えば（ＵＶ吸収）有機分子などの分子が、製品の劣化をもたらし、及び／又は、光導波路材料の構造物を弱める理由から、ＵＶ透過性の低下をもたらす。したがって、実施形態において、第１の層要素は、光導波路内への有機分子の進入を妨げるように構成される。したがって、第１の層要素は、保護機能をもつ。
【００４４】
代替的に、又は追加的に、第１の層要素は、無機分子の進入を妨げるように構成される。またさらに、代替的に、又は追加的に、第１の層要素は、イオンの進入を妨げるように構成される。実施形態において、「イオン」という用語は、帯電した有機分子（例示として帯電した有機分子は、例えば酢酸塩である）又は無機分子（例示として帯電した無機分子はケイ酸塩）を表してもよい。
【００４５】
特に、阻止される種はＵＶ−Ｃ光を吸収する種、例えばＵＶ光吸収（有機）分子である。特に、阻止される有機分子は典型的には、限定するわけではないが、エステル、カルボニル、ビニル、アルキン、ウレタンなどであるか否かにかかわらず、少なくとも１つの二重結合を含む。これらの分子は、海中の生物により生成され得るものと、外的な影響（油の流出及び他の産業活動）に起因して海中に存在するものとの両方がある。
【００４６】
代替的に、又は追加的に、第１の層要素は、例えばゾルゲル光学層が適用される場合、光導波路内への、及び／又は第１の光導波路要素の層内への水の進入を防ぐために適用される（以下も参照されたい）。
【００４７】
上述のように、実施形態において、スタックは、第１の層要素若しくは第２の層要素、又は、第１の層要素と第２の層要素との両方を備える。したがって、実施形態において、層スタックは、第２の層要素を少なくとも備える。実施形態において、第２の層要素は、（ａ）ＵＶ放射光に対して反射性であること、（ｂ）物体に層スタックを接着させるための接着性をもつこと、（ｃ）層スタックを補強すること、及び、（ｄ）第１のシリコーン層に対して保護作用のあることからなる群から選択された１つ又は複数の機能をもつ。第１の層要素は、層の（サブ）スタックを備え、及び／又は、第２の層要素は、層の（サブ）スタックを備える。第１の層要素が層のスタックを備える場合、このスタックは層スタックの一部であるので、このスタックはサブスタックとして示され得る。同様に、第２の層要素が層のスタックを備える場合、このスタックは層スタックの一部であるので、このスタックはサブスタックとして示され得る。
【００４８】
反射性を獲得するために、異なる機構が選択されてよい。ＵＶ放射光に対する反射性は、例えばアルミニウムコーティングに基づく反射層により提供されてよい。他の反射性又は散乱材料が、適用されてもよい。
【００４９】
代替的に、又は追加的に、ＵＶ放射光に対する反射性は、光導波路に全反射をさせる層により提供される。例えば、光導波路面においてより低い屈折率をもつ層は、光導波路内における全反射に起因して、光導波路内に光の一部を強制的に戻す。したがって、全反射を使用した場合、光導波路面における層の屈折率は、光導波路材料の屈折率より大幅に低い。例えば、第２の層要素に含まれる（光学）層、特に第２の光導波路面と物理的に接触している層の材料の屈折率は、光導波路（材料）の屈折率より少なくとも０．０２、例えば少なくとも０．０４低い。
【００５０】
したがって、実施形態において、第２の層要素は、（ｉ）アルミニウム層、（ｉｉ）粒子状反射材料を備えるシリコーン層、及び（ｉｉｉ）粒子状反射材料を備えるポリマー層のうちの１つ又は複数を備える。このようなポリマー又はシリコーン層は、特にさらに実質的に非吸収性であるが、散乱材料、例えば例として、ＢＮ、Ａｌ２Ｏ３、ＢａＳＯ４、ＭｇＯ、ＰＴＦＥ（ポリテトラフルオロエチレン）などの粒子を備える。重量平均化された粒子寸法は、例えば５〜４００ｎｍの範囲内、より具体的には５０〜２００ｎｍの範囲内である。さらに、実施形態において、散乱材料は、０．００１〜１ｖｏｌ％の範囲内の量、例えば０．００１〜０．１ｖｏｌ％の範囲内の量で利用可能である。このようなシリコーン層は、概して、第１のシリコーン層以外の別の組成をさらに含む。上述のように、この違いは、側基（例えばメチル）、添加物などのうちの１つ又は複数における違いである。したがって、特定の実施形態において、第２の層要素は、中に埋設された粒子状反射材料を含むシロキサン及びポリマー材料のうちの１つ又は複数を含む層を備える。特に、層は、シロキサン及びフッ素重合体のうちの１つ又は複数を含む。実施形態において、粒子状材料は窒化ホウ素を含む。したがって、特定の実施形態において、第２の層要素における層は、中に粒子状材料、特に窒化ホウ素（ＢＮ）を含むシリコーンを含む。粒子状材料は、ＵＶ放射光を散乱させるように構成される。シロキサンは、フッ素重合体より簡単に官能基化され、特定の実施形態において、シリコーンが適用される。代替的に、又は追加的に、第２の層要素は、（ｉｖ）第１のシリコーン層の屈折率より低い屈折率をもつポリマー層を備える。特に、（第１のシリコーン層の屈折率より低い屈折率をもつ）このようなポリマー層は、（例えば本明細書の別の場所において説明される）フッ素重合体を含む。別の場所でも示されるように、屈折率は、第１のシリコーン層の屈折率より少なくとも０．０２、例えば少なくとも０．０４低いものである。
【００５１】
実施形態において、ポリマー材料は、フッ素化エチレン、フッ素化プロピレン、フッ素化エチレンプロピレン、及びフッ素化プロピレンアセテートのうちの１つ又は複数を含む。このような物質は、実施形態において、屈折率がシリコーンの屈折率より低いものであるので、粒子状材料を含まずに使用される。したがって、フッ素重合体を含む層は、反射層としても使用される（上記の内容も参照されたい）。このような層は、第１のシリコーン層内における内部反射を促進する。
【００５２】
上述のように、さらに、アルミニウム層が、反射層として使用されてよい。第２の層要素はその全体にわたって透過性であるとは限らないので、この第２の層要素は物体の表面に付着するために使用されるので、この層は、アルミニウム層が第１の層要素に適用される場合より大幅に厚いものであってよい。したがって、アルミニウム層は、スタックの（さらなる）補強のためにも使用されてよい。実施形態において、第２の層要素は、少なくとも５０ｎｍ、例えば少なくとも９０ｎｍ、例えば少なくとも１００ｎｍ、例えば少なくとも１２０ｎｍ、例えば少なくとも２００ｎｍの範囲から選択された厚さをもつアルミニウム層を備える。薄すぎる場合、層が部分的に透過性となり、厚さが≧５０ｎｍ、例えば≧９０ｎｍ、さらには特に少なくとも１００ｎｍである場合、層は、主に、又は実質的に反射性のみとなる。アルミニウム層の一方側が第１の（シリコーン層）に向けられ、アルミニウム層の別の側が、必ずしも特定のＵＶ透過性又は反射性をもたない別の層、例えばシリコーン層又はポリマー層、特にポリマー層、例えば例としてフッ素重合体に接触してよいが、他のポリマーも使用されてよい。しかし、実施形態においてフッ素重合体が特に有用であり、アルミニウム層がパターン形成される。
【００５３】
さらに、第２の層要素は、特に、光導波路要素のための接着性を提供するために使用されてよい。例えばシリコーン光導波路は、船舶の船殻などの物体に簡単に接着しないものであるので、接着層が提供されてよい。したがって、特定の実施形態において第２の層要素は、（ａ）ＵＶ放射光に対して反射性、及び（ｂ）物体に光導波路を接着させるための接着剤からなる群から選択された１つ又は複数の機能をもつ１つ又は複数の第２の層要素の層を備える。実施形態において、第２の層要素は、第２の光導波路面に接触するように構成された第１の反射層、及び第２の層要素の外層として構成された第１の接着層を備える。
【００５４】
さらに、１つの層が１つより多い機能を提供してよい。これは、第１の層要素と第２の層要素との両方に対して適用されてよい。
【００５５】
例えば、特定の実施形態において、本発明は、接着層、特に、ＵＶ放射光に対して原理的に透過性の材料を含むが、光導波路材料より小さい、特に、光導波路（材料）の屈折率より少なくとも０．０２、例えば少なくとも０．０４低い屈折率をもつ、第２の光導波路面と物理的に接触している層をさらに提供する。
【００５６】
したがって、特定の実施形態において、光導波路要素は、第１の層要素と第２の層要素との両方を備え、両方の層要素が光導波路より低い屈折率をもつ層を備える。
【００５７】
上述のように、ＵＶ放射光などの関心のある放射光に対して特に透過性であるが第１の（シリコーン）層より低い屈折率をもつ層が使用されてよい。このような層は、第１の層要素に使用されてよい。代替的に、又は追加的に、このような層は、第２の層要素に使用されてよい。したがって、以下で、第１の（シリコーン層）及び近接した放射光透過層のこのような組合せに関連したいくつかのさらなる態様が説明される。
【００５８】
上述のように、第１の層は、光導波路層又は導波路層又は導波路などとしても示される。光導波路は、特に板様形状を含んでよい。板様形状は、実施形態において、例えばシリコーンを使用した場合に当てはまるように、１方向又は２方向に湾曲したものであってよく、又は、１方向又は２方向に湾曲可能であってよい。特に、光導波路は、長さ又は幅より大幅に小さい、例えば少なくとも５小さい、さらには特に少なくとも１０分の１の小ささの高さをもつ。（光導波路の高さを規定する２つの面の）面のうちの少なくとも１つ、又は、（本明細書において「第１の表面」としても示される）このような第１の光導波路面の少なくとも一部が、光導出面として使用されてよい。この面は、本明細書において第１の光導波路面としても示される。ＵＶ放射光は、この面から逃げる。ある程度の逃げは放射光の生物防汚機能の観点から望ましいが、過度な放射光が第１の光導波路面の不適切な部分において逃げてよく、又は逃げる。
【００５９】
この目的を達成するために、本発明は、実施形態において、第１の光導波路面の少なくとも一部に接触した光学層を提供する。この光学層は、特に、光導波路と組み合わされて使用される光源により使用されるＵＶ放射光に対して水より低い屈折率をもつ（さらに以下を参照されたい）。光学層は、光導波路の少なくとも一部と光学的に、及び／又は物理的に接触する。特に、光学層は第１の光導波路面の少なくとも一部と物理的に接触している。
【００６０】
実施形態において、光学層の屈折率は、海水の屈折率より少なくとも２％小さい、例えば少なくとも５％小さい。実施形態において光学層は、２８０ｎｍにおいて１．３６未満の第１の屈折率（ｎ１）をもつ。２８０ｎｍにおける、海水を含む水の屈折率は１．３６以上である。したがって、光学層の屈折率は、例えば少なくとも上述の５％だけ、この値より小さくなければならない。したがって、他の特定の実施形態において、第１の屈折率（ｎ１）は２８０ｎｍにおいて１．３５以下、例えば２８０ｎｍにおいて１．３４以下、例えば２８０ｎｍにおいて１．３０以下、例えば特に２８０ｎｍにおいて１．２５以下、例えば２８０ｎｍにおいて約１．２２以下である。特に、光学層の第１の屈折率は、（２８０ｎｍにおいて）少なくとも約１、例えば（２８０ｎｍにおいて）少なくとも約１．１０、例えば（２８０ｎｍにおいて）少なくとも約１．１５である。特定の実施形態において、光学層の屈折率は、光学層の屈折率光導波路（材料）の屈折率より少なくとも０．０２、例えば少なくとも０．０４低い。
【００６１】
このような光学層は、フッ素重合体を含み、又は、実質的にフッ素重合体からなる。
【００６２】
２８０ｎｍにおける屈折率の規定に対する選択は、生物防汚光を提供するために使用される光源が、２８０ｎｍにおける放射光を必ずしも提供することを意味せず、２８０ｎｍに主波長をもつような放射光を提供することを意味しない。この波長は、規定のために選択されるにすぎない。例えば、２００ｎｍ又は３００ｎｍが使用される場合、光学層のそれらの波長における屈折率は、それぞれ、特に１．３９又は１．３５未満である。
【００６３】
本明細書において使用される屈折率は、特に大気圧及び２５℃において測定される。水基準値に対して、それはＧｅｏｒｇｅ  Ｍ．Ｈａｌｅら、Ａｐｐｌｉｅｄ  Ｏｐｔｉｃｓ、１９７３、Ｖｏｌ．１２、Ｎｏ．３、５５５〜５６３頁に記載されており、同文献は参照により本明細書に組み込まれる。
【００６４】
特に、光学層は、２５℃（及び大気圧）における水の屈折率より低い、特に少なくとも２％低い、例えば少なくとも５％低い、例えば２５℃（及び大気圧）における水の屈折率の約８０〜９８％の範囲内、例えば約８５〜９５％の範囲内の第１の屈折率（ｎ１）をもつ。本明細書において示される１つ又は複数の水の屈折率は、特に脱塩水に関連する。もちろん、これは本発明が脱塩水において適用されることが決して当てはまらない。光学層の屈折率が脱塩水に関連して規定されるにすぎず、例えば光学層の屈折率は、（２５℃における、及び、大気圧における）（脱塩）水の屈折率より少なくとも２％低い。光学層の、及び水の屈折率は（したがって）、特に実質的に同一の条件（例えば２５℃及び大気圧）のもとで評価される。水に対して、基準値は、例えばＨａｌｅら（上記のものを参照されたい）により規定されているように使用される。
【００６５】
光学層の屈折率に対する上述の値は、光学層材料がこのような屈折率をもつことを含意する。しかし、後述のように光学層に孔を導入した場合、光学層材料は、また、（わずかに）高い屈折率をもつ。光学層自体は水より低い屈折率、及び／又は、２８０ｎｍにおいて１．３６より低い屈折率をもつ。
【００６６】
ＵＶ放射光透過性光学層材料の化学的組成、及び／又は、光学層の形態は、光導波路材料の化学的組成、及び／又は、光導波路の形態と特に異なる。したがって、特に、光導波路と光学層との間に（明確な）界面が存在する。
【００６７】
光学層は、特に、光が光導波路内に維持される入射角を広げるために使用されてよい。例えば、光学層を含まずにシリコーンから作られた光導波路は、水中に沈められたときに、（水とシリコーンとの間の屈折率の差は非常に小さいので）大幅に非常に浅い角度においてのみではあるが、ある程度のＴＩＲを示すことに留意されたい。水より低い屈折率をもつシリコーン（又は他の物質）の上の光学層を追加することは、ＴＩＲにより実際に反射する「角度範囲」を広げる。したがって、より多くの光が光導波路の内側に留まる。
【００６８】
光学層は、第１の光導波路面全体にわたって構成されてよいが、他の実施形態において、第１の光導波路面の一部のみにおいて利用可能であってよい。さらに、光学層は、第１の光導波路面の異なる部分において異なる厚さをもつように提供されてよい。この手法により、層を提供することにより、（より多くの）ＵＶ放射光が光導波路内に反射により戻されなければならない位置が確立され得、層を提供しないことにより、（より少ない）ＵＶ放射光が光導波路内に反射により戻されなければならない位置が確立され得る。この手法により、またさらには他の手法により、パターン形成された層は、特に、第１の光導波路面から逃げる光源光の一様な配光を促進するために提供される。したがって、実施形態において、光学層は、第１の層厚（ｈ１）をもつ光学層材料を含む１つ又は複数の第１の領域、及び、０≦ｈ２＜ｈ１の範囲内の第２の層厚（ｈ２）をもつ光学層材料を含む１つ又は複数の第２の領域を含むようにパターン形成された光学層である。ｈ２＝０の場合、光学層が存在しない。第１の層の厚さは、特に少なくとも１００ｎｍ、さらには特に少なくとも２００ｎｍ、またさらには特に少なくとも３００ｎｍ、例えば少なくとも４００ｎｍ、例えば４００ｎｍ〜２０μｍ、例えば１〜１５μｍ、例えば２〜１０μｍの範囲内である。しかし、より厚い層、例えばさらには最大約２ｍｍ、例えば最大約１ｍｍ（及び、特に少なくとも２００ｎｍ、例えば少なくとも３００ｎｍ）も可能である。このような厚さをもつことにより、特に、本明細書において言及されている材料のうちの１つ又は複数が使用される場合、ＵＶ放射光が光学層を通して透過させられる。したがって、本明細書において示される透過が確立されるように、光学層が選択される。これは当業者に知られている。
【００６９】
上述のように、光学層材料は、特に、低い、例えば水より低い屈折率をもつ。
【００７０】
光学層は、孔を含んでよい。「孔」という用語は、「空洞」も表す。このような孔は、ガス、例えば希ガス、ＣＯ２、又は空気を含有する。このような多孔質構造物により、光学層の屈折率は、比較的低いものであってもよい。
【００７１】
特に、孔はガスを囲む孔である。例えば、光学層の製造中にガスが層内に捕捉されることにより、ある種類の多孔質構造をもつ光学層を提供するが、このような孔は、外部からアクセス可能ではないものであってよい。
【００７２】
代替的に、又は追加的に、実施形態において、孔は、外部からアクセス可能であるが、このアクセスは、例えば耐水層又は水不浸透層といった層により実質的に阻止されている。
【００７３】
代替的に、又は追加的に、孔はガスにより外部からアクセス可能であるが、孔は、任意選択的に、孔内の（又は、多孔質部材の）撥水材料と組み合わされて、水が孔に実質的にアクセスしない寸法をもつ。
【００７４】
実施形態において、光学層は、５〜７０％、例えば１０〜５０％の範囲内の有孔率をもつ多孔質光学層である。有孔率は、例えば、層のボリューム、光学層材料に対して知られたボリュメトリック質量密度、及び、層の重量を使用することにより決定される。占有されたボリュームが、重量に基づいた、及び、無孔性であると仮定した理論的なボリュームより大きいので、それに基づいて有孔率が決定され得る。特定の実施形態において、孔の寸法は、約３００ｎｍ未満、例えば約２００ｎｍ未満である。特定の実施形態において、寸法は、光導波路要素と組み合わされて使用される光源の放射光の主波長より小さいものである。
【００７５】
実施形態において、光学層材料は、ゾルゲル材料を含む。ゾルゲル層又は多孔質層を作るための方法は、当技術分野において知られており、例えばＷＯ２０１２／１２５２７１、米国特許出願公開第２０１１／０１１１２０３号、米国特許第４，２７１，２１０号、Ｇｕａｎｇｍｉｎｇ  Ｗｕら、Ｍａｔｅｒｉａｌｓ  Ｓｃｉｅｎｃｅ  Ｅｎｇｉｎｅｅｒｉｎｇ  Ｂ７８、１３５−１３９において説明されており、これらの文献は参照により本明細書に組み込まれる。
【００７６】
したがって、実施形態において低屈折率材料は、微小孔材料である。本材料は、実施形態において、例えばＭＴＭＳ／ＴＥＯＳ（メチルトリメトキシシラン／テトラエトキシシラン）からゾルゲルルートを通して生成され、微孔性は、石鹸（例えばポリエチレンオキシド）を使用することにより達成されてよい。ゾルゲルにおける微孔は、ＵＶ光の波長より小さい寸法をもち、散乱に起因した高い損失を防ぐ。低屈折率材料は、薄層として適用され得る。このような低屈折率層は、全反射の角度を広げ、それによりアウトカップリングを減らす。光学層は、実施形態において、アルミン酸塩及びケイ酸塩のうちの１つ又は複数を備える。
【００７７】
「光学層」という用語は、スタックとして構成された、及び、（本明細書において「第１の光学層スタック」又は「第１の層スタック」又は「スタック」又は「第１のスタック」としても示される）光学層スタックを提供する複数の（異なる）光学層も表す。このような光学層スタックは、本明細書において単に「光学層」として示される。したがって、実施形態において、第１の層要素は、スタックである１つの層又は複数の層を含んでよい。
【００７８】
上述のように、第１の層要素は、第１のシリコーン層との化学結合を含み、及び／又は、第２の層は、第１のシリコーン層との化学結合を含む。
【００７９】
特に、化学結合は、アミド結合、エステル結合、エーテル結合、及び、Ｓｉ−Ｏ−Ａｌ結合のうちの１つ又は複数を含む。この目的を達成するために、第１のシリコーン層、ポリマー層、アルミニウム層、又は中間層は、異なる材料が互いに接触させられた場合に材料間に化学結合を提供する官能基を含んでよい。これは、以下でさらに説明される。任意選択的に、例えばポリマー層又はアルミニウム層の間に、中間層が存在する。これは、フッ素重合体であってよいが、特にシリコーンであってよい（上記の内容も参照されたい）。したがって、実施形態において、第１の中間層及び第２の中間層のうちの１つ又は複数が第１のシリコーン層と異なる組成をもつ（第２の）シリコーン層を備える。
【００８０】
層スタックの実施形態において、第１の層要素は、フッ素重合体、例えばＦＥＰを含むポリマー層を含み、第２の層要素は、アルミニウム層及びポリマー層のうちの１つ又は複数を備える。実施形態において、第２の層要素は、アルミニウム層又はフッ素重合体層又はポリイミド層を含む。特に、この層は、化学結合により第１のシリコーン層に結び付けられる。
【００８１】
したがって、実施形態において、第２の層要素は、アルミニウム層を備える。特に、このような実施形態において、第２の層要素は、ポリマー層、例えばフッ素重合体又はポリイミドをさらに含む。
【００８２】
代替的に、実施形態において、第２の層要素は、ポリマー層、例えばフッ素重合体層（のみ）を備える。特に、このような層は、第１のシリコーン層より低い屈折率をもち、水の侵入及び浸透を制限し、任意選択的に接着性である。
【００８３】
代替的に、実施形態において、第２の層要素は、ポリイミド層（のみ）を備える。特に、このような層は、第１のシリコーン層より低い屈折率をもち、水の侵入及び浸透を制限し、任意選択的に接着性である。
【００８４】
実施形態において、第２の層要素は、アルミニウム層及びポリマー層を備え、アルミニウム層は、ポリマー層より第１のシリコーン層に近くなるように構成されている。特定の実施形態において、アルミニウム層は、第１のシリコーン層に結び付けられる。ポリマー層は、保護フィルムとして使用される。ポリマー層は実施形態において、フッ素重合体、例えばＦＥＰ、及びポリイミドのうちの１つ又は複数を含む。
【００８５】
実施形態において、第２の層要素は、（ｉ）フッ素重合体を含むポリマー層、（ｉｉ）アルミニウム層、及び（ｉｉｉ）ポリマー層（例えばフッ素重合体、例えばＦＥＰ、及びポリイミドのうちの１つ又は複数）のスタックを備える。
【００８６】
実施形態において、特に第２の層要素のための本明細書において説明されるポリイミドは、ポリ（４，４’−オキシジフェニレン−ピロメリットイミド）を含む。
【００８７】
第２の層要素の実施形態において利用可能なアルミニウム層は、パターン形成されてよい。
【００８８】
上述の層に加えて、実施形態において、第２の層要素は、防食塗装をさらに含む。層スタック内の層から、この層は、第１のシリコーン層の最も遠くに構成される。
【００８９】
使用中における、第１のシリコーン層から最も遠くにある第２の層スタックの層は、物体、例えば船殻、例えば鋼の船殻と物理的に接触する。物体は、防食塗装を含む表面を含む。このような実施形態において、（結果的に防食塗装を備えないものである）第２の層スタックは、防食塗装と物理的に接触する。
【００９０】
第１の層要素は、フッ素重合体（のみ）、例えばＦＥＰを含んでよい。
【００９１】
第１の層要素は、（ｉ）（ＴＩＲを生成するために）第１のシリコーン層の屈折率より低い屈折率をもつこと、（ｉｉ）ＵＶＣに対して透過性であること、（ｉｉｉ）ＵＶに耐性のあること、（ｉｖ）化学成分の侵入を制限すること、（ｖ）シリコーンより強いことの群から選択された１つ又は複数の性質をもつ。
【００９２】
第１のシリコーン層は、特に（ｉ）ＵＶＣに対して高透過性（バルクにおいて６５％〜９０％／ｃｍ）をもち、及び／又は、（ｉｉ）ＵＶに耐性がある。「バルクにおける６５％／ｃｍのＵＶＣ透過率」という表現、及び同様の表現は、特に内部透過率を表す。
【００９３】
実施形態において、第１のシリコーン層に直接隣り合った第２の層要素の第１の層は、（ｉ）（ＴＩＲを生成するための）第１のシリコーン層の屈折率より低い屈折率、（ｉｉ）ＵＶＣに対する透過性、及び（ｉｉｉ）ＵＶに対する耐性の群から選択された１つ又は複数の性質をもつ。第２の層要素のこのような第１の層は、フッ素重合体、例えばＦＥＰである。このような第１の層に直接隣り合った（したがって、第２の層要素の第１の層より第１のシリコーン層から遠くに構成された）第２の層要素の第２の層は、（ｉ）化学成分の侵入及び浸透を制限すること、及び（ｉｉ）ＵＶＣ反射率≧５０％であることの群から選択された１つ又は複数の性質をもつ。第２の層要素のこのような第２の層は、任意選択的にパターン形成されるアルミニウム層である。このような第２の層に直接隣り合った（したがって、第２の層より第１のシリコーン層から遠くに構成された）第２の層要素の第３の層は、（ｉ）（例えばアルミニウム層を保護するために）水の侵入及び浸透を制限すること、及び（ｉｉ）接着剤であることの群から選択された１つ又は複数の性質をもつ。このような第３の層は、フッ素重合体及びポリイミドのうちの１つ又は複数を含む。
【００９４】
実施形態において、第１のシリコーン層に直接隣り合った第２の層要素の第１の層は、ＵＶＣ反射率＞５０％である。第２の層要素のこのような第１の層は、任意選択的にパターン形成されるアルミニウム層である。このような第１の層に直接隣り合った（したがって、第２の層要素の第１の層より第１のシリコーン層から遠くに構成された）第２の層要素の第２の層は、（ｉ）化学成分の侵入及び浸透を制限すること、及び（ｉｉ）接着性であることの群から選択された１つ又は複数の性質をもつ。第２の層要素のこのような第２の層は、フッ素重合体及びポリイミドのうちの１つ又は複数を含む。
【００９５】
層スタックは、特に大きい、例えば１０より大きい、さらには特に少なくとも１００のアスペクト比をもち、すなわち長さ及び／又は幅（特に両方）が厚さの少なくとも１０倍の大きさである。
【００９６】
層スタックは、特に生物防汚目的に使用されてよい。したがって、特定の実施形態において層スタックは、第１のシリコーン層に埋設された１つ又は複数の、特に複数のソリッドステート光源をさらに備える。
【００９７】
上述のように、光導波路は光源と組み合わされて、特に汚損する表面、例えば船殻に生物防汚光を提供するために使用されてよい。さらには特に、以下でさらに詳細に説明されるように、光導波路要素は、船舶などの物体における表皮として使用されてよい。光導波路要素がこのような物体における表皮として使用される場合、船殻などの物体の外面（「汚損面」）が生物汚損を受けるのに対し、汚損面は光導波路要素により提供される（追加的な層を含む）第１の光導波路面に置き換えられる。したがって、物体の少なくとも一部に対して、光導波路要素はその外面になってよい（したがって、汚損を受ける可能性がある）。
【００９８】
したがって、さらに異なるさらなる一態様において、本発明は、本明細書において説明されている光導波路要素、及び光源を備える生物防汚システム（「システム」）をさらに提供し、光源は、光導波路内にＵＶ放射光を提供するように構成され、生物防汚システムは、第１の光導波路面より下流に（及び任意選択的に光学層より下流に）ＵＶ放射光の少なくとも一部を提供するように構成される。したがって、ＵＶ放射光は、第１の光導波路面の少なくとも一部を通して光導波路からカップルアウトされ、したがって、第１の光導波路面より下流に（及び任意選択的に光学層より下流に）提供される。特に、本発明は、本明細書において説明されている光導波路要素及び光源を備える生物防汚システムを提供し、生物防汚システムは、第１の光導波路面を備える放射光出口窓を備え、光源は光導波路内にＵＶ放射光を提供するように構成され、放射光出口窓は、ＵＶ放射光の少なくとも一部を透過するように構成される。放射光出口窓は、したがって、実施形態において、第１の層要素をさらに備える。特定の実施形態において、光源は光出射面を備え、光出射面は光導波路内に構成される。例えば、１つ又は複数のソリッドステート光源は、光導波路に埋設される。実質的に、ソリッドステート光源全体が、光導波路（材料）に埋設されてよい。
【００９９】
光源は、特にＬＥＤなどのソリッドステート光源を備える。光導波路と光源との組合せは、本明細書においてＵＶ出射要素としても示される。
【０１００】
実施形態において、光源は、光導波路の外部に構成される。このような実施形態において、光源が光導波路の面に光源光を提供するように構成されることにより、光源の光が、（例えば光導波路の縁部面を介して）光導波路内に結合される。光源及び光導波路は、特に放射光的に結合される。「放射光的に結合される」という表現は特に、光源により照射された放射光の少なくとも一部が光導波路により受光される（及び光導波路から少なくとも部分的に逃げる）ように、光源と光導波路とが互いに関連していることを意味する。
【０１０１】
さらに異なる他の実施形態において、光源は光出射面を備える、光出射面は光導波路内に構成される。例えば、ＬＥＤは、シリコーンに埋設される。後者の実施形態の例が、例えば、ＷＯ２０１４／１８８３４７において説明されており、同文献は参照により本明細書に組み込まれる。もちろん、異なる実施形態が組み合わされてよい。
【０１０２】
さらに異なるさらなる一態様において、本発明は、表面、例えば外面を備える物体をさらに提供し、先行する請求項のいずれか一項に記載の層スタックが、表面の少なくとも一部に付着させられる。特に、一態様において、本発明は、使用中に水中に少なくとも部分的に沈められる物体を提供し、物体は本明細書において規定される生物防汚システムを備え、ＵＶ出射要素が、（ｉ）物体の表面、例えば外面の一部及び（ｉｉ）上記の外面の上記の一部に近接した水のうちの１つ又は複数を照射段階中にＵＶ放射光を使用して照射するように構成される。本明細書に示されるように、物体は、特に船舶及びインフラストラクチャー物体、さらには他の物体からなる群から選択される。「使用中に水中に少なくとも部分的に沈められる」という表現は、真水若しくは海水、又はそれらの混合物（汽水）を表す。したがって、本発明は、特に、水に関連した用途、例えば海洋用途のために使用されてよい。
【０１０３】
実施形態において、光導波路要素は、第２の光導波路面に接触した第２の層要素を備え、第２の層要素は、（物体の）外面に接触した第１の接着層を備える。
【０１０４】
本明細書において、「使用中に水中に少なくとも部分的に沈められる物体」という表現は、特に、物体、例えば船舶及び水に関連した用途をもつインフラストラクチャー物体を表す。したがって、使用中に、このような物体、例えば海、湖、運河、川、又は別の水路などにおける船舶は、概して水に接触する。
【０１０５】
「船舶」という用語は、例として、例えばボート又は船など、例えば帆船、タンカー、巡航船、ヨット、フェリー、潜水艦などを表す。
【０１０６】
「インフラストラクチャー物体」という用語は、特に概して、実質的に動かないように配置された水に関連した用途、例えばダム、水門、はしけ、石油採掘装置などを表す。「インフラストラクチャー物体」という用語は、（例として例えば発電所まで海水をくみ上げるための）パイプ、及び、（水力発電式）発電所の他の部分、例えば冷却システム、タービンなどをさらに表す。
【０１０７】
「物体」という用語は、実施形態において、遠洋航海用の支持構造物、又は、海上風力タービン、石油採掘装置、波／潮力エネルギーを抽出するための構造物、浮遊デバイスなどを表す。「外面」という用語は、特に、水と物理的に接触して得る表面を表す。パイプの場合これは、内部パイプ表面及び外部パイプ表面のうちの１つ又は複数に適用されてよい。したがって、「外面」という用語の代わりに「汚損面」という用語が適用されてもよい。さらに、このような実施形態において、「水線」という用語は、例えば充填レベルを表してもよい。
【０１０８】
特に、物体は、海洋用途、すなわち海又は大洋における、又は、海又は大洋付近における用途のために構成された物体である。このような物体は、それらの使用中、少なくとも一時的に、又は実質的に常に、水に少なくとも部分的に接触する。物体は、使用中に少なくとも部分的に水（線）の下に存在し、又は、例えば潜水艦用途の場合、実質的にその時間のすべてにわたって水（線）の下に存在する。本発明は、例えば、濡れた表面をきれいに維持する海洋防汚のために、沖合での用途のために、海（中）での用途のために、ドリリングプラットフォームのためなどに適用される。
【０１０９】
水とのこの接触に起因して、上述の欠点を伴って生物汚損が発生する。生物汚損は、このような物体の、例えば外面の表面といった、表面（「表面」）の表面において発生する。保護される物体（の要素）の表面は、鋼を含むが、任意選択的に、例として、例えば木材、ポリエステル、複合体、アルミニウム、ゴム、ハイパロン、ＰＶＣ、ガラスファイバーなどからなる群から選択された別の材料をさらに含む。したがって、鋼の船殻の代わりに、船殻は、ＰＶＣの船殻又はポリエステルの船殻などであってもよい。鋼の代わりに、別の鉄材料、例えば（他の）鉄合金が使用されてもよい。
【０１１０】
本明細書において、「汚損」又は「生物汚損」又は「生物的汚損」という用語は、交換可能に使用される。上述のように、汚損のいくつかの例が提供される。生物汚損は、水中における、又は、水に近い、及び、一時的に水（又は、別の導電性の水性液体）にさらされる任意の表面に発生する。このような表面において、要素が水中又は水付近に、例えば水線の（真）上にあるときに、（例えば例としてはねる水に起因して、例えば例として船首波に起因して）生物汚損が発生する。熱帯地方を往来するとき、数時間のうちに生物汚損が発生する。穏やかな温度であっても、最初の（段階の）汚損は、最初の（分子）レベルの糖類及び細菌として数時間のうちに発生する。
【０１１１】
生物防汚システムは、ＵＶ出射要素を少なくとも備える。さらに、生物防汚システムは、制御システム（以下も参照されたい）、電気エネルギー源などを備えてよい。
【０１１２】
「生物防汚システム」という用語は、例えば例として単一の制御システムを介して制御される、任意選択的に機能的に互いに結合された複数のこのようなシステムも表す。さらに、生物防汚システムは、複数のこのようなＵＶ出射要素を備える。本明細書、「ＵＶ出射要素」という用語は、（したがって）複数のＵＶ出射要素を表す。例えば、一実施形態において、複数のＵＶ出射要素が、物体、例えば船殻の表面、例えば外面に関係するか、又は、このような表面に含まれる（以下も参照されたい）のに対し、例えば制御システムは物体内のどこか、例えば船舶の制御室又は操舵室内に配置される。
【０１１３】
汚損が生成される表面又はエリアは、本明細書において汚損面としても示される。表面は、例えば船の船殻及び／又は光学媒体の出射面である（以下も参照されたい）。この目的を達成するために、ＵＶ出射要素は、生物汚損の形成を防止するために、及び／又は、生物汚損を除去するために適用されるＵＶ放射光（防汚光）を提供する。このＵＶ放射光（防汚光）は、特に、ＵＶ放射光（「ＵＶ光」としても示される）を少なくとも含む。したがって、ＵＶ出射要素は、特にＵＶ放射光を提供するように構成される。そのために、ＵＶ出射要素が光源を備える。「光源」という用語は、複数の光源、例えば２〜２０００個の、例えば２〜２００個の（ソリッドステート）光源、例えばＬＥＤにも関係するが、さらに多くの光源が適用されてもよい。したがって、ＬＥＤという用語は、複数のＬＥＤを表してもよい。特に、ＵＶ出射要素は、複数の光源を備えてよい。したがって、上述のように、ＵＶ出射要素は、１つ又は複数の（ソリッドステート）ステート光源を備える。ＬＥＤは、（ＯＬＥＤ又は）ソリッドステートＬＥＤ（又は、これらのＬＥＤの組み合わせ）であってよい。特に、光源は、ソリッドステートＬＥＤを備える。したがって、特に、光源は、ＵＶＡ光とＵＶＣ光とのうちの１つ又は複数を提供するように構成されたＵＶ  ＬＥＤを備える（以下も参照されたい）。ＵＶＡが細胞壁に損傷を与えるために使用されるのに対し、ＵＶＣがＤＮＡに損傷を与えるために使用される。したがって、光源は特にＵＶ放射光を提供するように構成される。本明細書、「光源」という用語は、特にソリッドステート光源を表す。光源は、ソリッドステートレーザーをさらに含んでよい。「光源」という用語は、（コリメータなどの）レンズ及び反射体の群から選択された１つ又は複数のビーム成形要素を含むソリッドステート光源などの、光学素子を含む光源も表す。
【０１１４】
ＬＥＤなどのソリッドステート光源は、上部出射型発光体又は側部出射型発光体であってよい。
【０１１５】
特に、１つ又は複数の光源はＬＥＤである。したがって、実施形態において、生物防汚システムは複数の光源を備え、光源はＬＥＤを備える。代替的に、又は追加的に、光源はソリッドステートレーザーを備える。
【０１１６】
上述のように、ＵＶ出射要素は特に、（照射段階中に）ＵＶ放射光を使用して、（ｉ）外面の一部、及び（ｉｉ）外面の一部に近接した水のうちの１つ又は複数を照射するように構成される。「一部」という用語は、例えば船殻又は水門（扉）などの物体の外面の一部を表す。しかし、「一部」という用語は、船殻又は水門の外面などの外面の実質的に全体を表してもよい。特に、外面は、１つ又は複数の光源のＵＶ光を使用して照射される、又は、１つ又は複数のＵＶ出射要素のＵＶ放射光を使用して照射される複数の部分を含んでよい。各ＵＶ出射要素は、１つ又は複数の部分を照射する。さらに、任意選択的に２つ以上のＵＶ出射要素のＵＶ放射光を受光する部分が存在してよい。
【０１１７】
一実施形態において、ＵＶ出射要素は、ＵＶ放射光を生成するための二次元光源グリッドを備え、光学媒体は、ライトモジュールの光出射面を出るＵＶ放射光の二次元配光を提供するために、光学媒体にわたって二次元光源グリッドからＵＶ放射光の少なくとも一部を配光するように配置される。二次元光源グリッドは、チキンワイヤ構造、密集構造、行／列構造、又は任意の他の適切な規則的な、又は不規則的な構造として配置される。グリッドにおける近接した光源間の物理的距離は、グリッドにわたって固定され、又は、例えば防汚効果を提供するために必要とされる光出力パワーに応じて、又は、被保護面におけるＵＶ出射要素の位置（例えば船の船殻における位置）に応じて異なる。二次元光源グリッドを提供する利点として、ＵＶ放射光照明を使用して保護されるエリアの近くでＵＶ放射光が生成されること、並びに、それが光学媒体又は光導波路における損失を減らすこと、及び、それが配光の均一性を高めることが挙げられる。好ましくは、ＵＶ放射光は出射面にわたって概ね均一に配光され、これが、別のやり方であれば汚損が発生する照明不足のエリアを小さくするか、又は防ぎさえし、同時に、防汚に必要な光より多くの光を使用した他のエリアの照明過多によるエネルギーの浪費を減らすか、又は防ぐ。一実施形態において、グリッドは光学媒体に含まれる。さらに異なる別の実施形態において、グリッドは、（シリコーン）ホイルに含まれてよい。
【０１１８】
さらに、一実施形態において、光学媒体は、被保護面に近接して配置され（任意選択的に付着されられることを有する）、及び、紫外光を受光するように結合され、光学媒体が、被保護面に直交した厚さ方向をもち、厚さ方向に直交した光学媒体の直交した２つの方向が、被保護面と平行であり、紫外光が厚さ方向に直交した、直交した２つの方向のうちの少なくとも一方に光学媒体内を伝播するように、及び、光学媒体の表面に沿った点において、紫外光のそれぞれの部分が光学媒体から逃げるように、紫外光の伝播経路を提供するように光学媒体が構成される。
【０１１９】
さらなる一態様において、本発明は、使用中に少なくとも一時的に水にさらされる物体の表面（の一部）、例えば外面を（生物）防汚する方法をさらに提供し、本方法は、物体に本明細書において規定される生物防汚システムを提供することと、任意選択的に、（ｉ）フィードバック信号、及び（ｉｉ）ＵＶ放射光（防汚光）の強度を（定期的に）変えるためのタイマーのうちの１つ又は複数に応じて、（物体の使用中に）ＵＶ放射光を生成することと、及び、外面（の一部）に（照射段階中に）ＵＶ放射光を提供することとを有する。このようなフィードバック信号は、センサーにより提供される。
【０１２０】
以下、層スタックを提供する方法がさらに説明される。上述のように、さらなる一態様において本発明は、本明細書において説明されるスタックを提供するために使用される方法をさらに提供する。したがって、一態様において本発明は、本明細書において説明される方法を使用して獲得可能な層スタックをさらに提供する。
【０１２１】
特に、本発明は、層スタックを提供する方法を提供し、本方法は、（ａ）直接的に、又は第１の中間層を介してシリコーン層の第１の表面と第１の層要素とを化学結合させることにより結び付けることと、（ｂ）直接的に、又は第２の中間層を介してシリコーン層の第２の表面と第２の層要素とを化学結合させることにより結び付けることとのうちの１つ又は複数により、（ｉ）第１のシリコーン層、及び（ｉｉ）第１の層要素と第２の層要素とのうちの１つ又は複数を結合させることを有する。
【０１２２】
「第１のシリコーン層と層要素とを結合させること」という表現及び同様の表現は、前者が後者に結合されること、又は後者が前者に結合されることを含意する。さらに、このような表現及び同様の表現は、例えばシリコーン層が層スタックに結合されることを含意するが、層が第１の層要素として第１の（シリコーン）層に提供され、次に、スタックを備える層要素を提供するために、このような層に１つ又は複数のさらなる層が提供されることをさらに含意する。
【０１２３】
化学結合により一方の層を他方に結合するために、一方又は両方の層を官能基化することが必要であり、又は、層のうちの１つを提供するための材料が官能基化される。層、又は層のうちの１つを提供するための材料自体が官能基化されてもよい。例えば、シリコーン接着剤は、完全には反応又は硬化させられず、別の層と化学結合を形成するために使用され得る基を含んでよい。例えば、シリコーンは、さらに反応し、又は官能基化されるビニル基及び／又は水素化物基を含む。
【０１２４】
特に、本明細書において−ＯＨ基、−ＣＯＯＨ基、−ＮＨ２基、及び−Ｓｉ−Ｈ基のうちの１つ又は複数が、中間層の化学結合を生成するために使用される。したがって、このような基が利用可能であり、又は、官能基化することにより生成される。
【０１２５】
したがって、実施形態において、本方法は、少なくとも２つの官能基化された材料間の結合を提供することを（さらに）有し、少なくとも２つの官能基化された材料のうちの１つ又は複数が、官能基により官能基化された第１の表面、及び／又は、官能基により官能基化された第２の表面により提供され、官能基は、−ＯＨ基、−ＣＯＯＨ基、−ＮＨ２基、及び−Ｓｉ−Ｈ基からなる群から選択された１つ又は複数を含む。特に、このような基は、アミド結合、エステル結合、エーテル結合、及びＳｉ−Ｏ−Ａｌ結合のうちの１つ又は複数を含む化学結合を形成するために使用される。
【０１２６】
導波路と可能な保護材料との間の化学結合を生成するために識別され得る異なる選択肢が可能である。例えば、実施形態において、完成したシリコーン導波路は、完成した保護材料層に界面化学により結合され得る。他の実施形態において、液体シリコーン（導波路）材料は、界面化学により、完成した保護材料層に結合され得る。さらに異なる他の実施形態において、液体シリコーン（導波路）材料は、界面化学により、完成していない保護材料層に結合される。
【０１２７】
上述のように、フッ素重合体は、低い屈折率の観点からの光学層としてのアルミニウム層に対する支持体として、又は、散乱材料を使用することによる反射層として望ましい場合がある。しかし、フッ素重合体材料は界面化学により結合するために活性化することが比較的困難である。
【０１２８】
実施形態において、フッ素基を部分的に除去し、適切な官能基と置換する。実施形態において、例えばＦｌｕｏｒｏＥｔｃｈ（ナトリウムナフタレニド）溶液を使用することにより、例えばカルボキシル基との酸化置換が可能である。エッチング期間が長いほど、又は、温度が高いほど、ＵＶ−Ｃ吸収の増加につながるより多くのブラウニングが発生することが観察される。より短いエッチング、又はより低いエッチング温度、又は、エッチングされたシートの事後酸化が、これを防ぐために使用され得る。
【０１２９】
ポリマー及びシリコーン又は中間層の間の結合を改善するために、カルボニル基が使用され、又は、カルボニル基をより活性な官能基、例えば、より反応性の高いカルボキシル基と置換する。例えば、ＥＤＣ−ＮＨＳの化学的親和性を介して、別の層又は材料のＮＨ２基と結合するために使用され得る高い反応性をもつ基が形成され得る。この手法により、比較的加水分解的に安定したアミド結合が生成される。ＥＤＣは、（１−エチル−３−（３−ジメチルアミノプロピル）カルボジイミド塩酸塩）を示すために使用される。ＮＨＳは、Ｎ−ヒドロキシスクシンイミドを示すために使用される。結合材のためのＥＤＣ−ＮＨＳの使用は例えば「Ｒｏｏｍ−ｔｅｍｐｅｒａｔｕｒｅ  ｉｎｔｅｒｍｅｄｉａｔｅ  ｌａｙｅｒ  ｂｏｎｄｉｎｇ  ｆｏｒ  ｍｉｃｒｏｆｌｕｉｄｉｃ  ｄｅｖｉｃｅｓ」、Ｊａｃｏｂ  Ｂａｒｔら、Ｌａｂ  Ｃｈｉｐ、２００９、９、３４８１〜３４８８において説明されており、同文献は参照により本明細書に組み込まれる。したがって、実施形態において本方法は、ＥＤＣ−ＮＨＳ補助反応を介して化学結合を生成することをさらに有する。
【０１３０】
したがって、例えば２つの層間における、又は層と層を形成する材料との間における化学結合に関して、カルボキシル基及び／又はＥＤＣ−ＮＨＳの使用は、それぞれ、アミン基の使用と組み合わされて適用される。例えば、これは、（例えば特にシリコーンであって、さらにＮＨ２基により規則正しく官能基化されておらず、及び、シリコーンに対して分離活性化、例えばプラズマ活性化工程が実行される必要がある、シリコーンといった）他の表面においてＮＨ２基との速い反応を可能にするために生成されたカルボン酸の反応性を高めるフッ化炭素ポリマーの活性化工程の組合せを含意する。例えば、シリコーンは、ＮＨ３プラズマ工程を介して官能基化され得る。Ｊａｃｏｂ  Ｂａｒｔらの上述の論文においても説明されているＡＰＴＥＳの化学的親和性を介して官能基化することも可能である。「ＡＰＴＥＳ」という用語は、（３−アミノプロピル）トリエトキシシランを示すために使用される。
【０１３１】
アルミニウムは、例えばフッ素重合体層において提供され、このような層と比較的良好に結合する。しかし、アルミニウムとシリコーンとの結合のために、いくつかの追加的なステップが行われる必要がある。
【０１３２】
アルミニウムが（Ｈ３ＰＯ４酸又はＯ２プラズマにより）活性化されてヒドロキシル基を形成し得、続いてヒドロキシル基が、加水分解的に安定した結合を形成し得る化学物質と反応させられる必要がある。シランは、非常に安定したＡｌ−Ｏ−Ｓｉ結合を形成することがよく知られている。シランの利点は、シラン自体がＮＨ２基、ビニル基、又は加水分解的に安定したＣ−Ｃ結合又はアミン結合を同様に形成し得る事実上任意の他の基により修飾され得ることである。
【０１３３】
シラン及びビニル基を含むＴｉ錯体の混合物を含む市販のプライマーはシリコーンを使用した接着のために表面を活性化することにおいて非常に効果的であることが示されているが、ＵＶ−Ｃ吸収は、＜１μｍの薄層に対して大きく影響する（＞３０％）。
【０１３４】
代替的に、又は追加的に、（Ｒ１）（Ｒ２）（Ｒ３）Ｍプライマーが使用される。このようなプライマーは非常に適切であり、所望の結合を提供するために追加的なシランなしで使用されることが見受けられる。ＵＶ透過率の可制御性及び／又は安定性の観点から、これは望ましいものである。このようなプライマーを使用した場合、ＵＶ−Ｃ吸収は大幅に少ない。
【０１３５】
したがって、実施形態において本方法は、プライマーにより補助された反応を介してＡｌ−Ｏ−Ｓｉ化学結合を生成することをさらに含み、プライマーは、（Ｒ１）（Ｒ２）（Ｒ３）Ｍからなる群から選択され、Ｒ１、Ｒ２及びＲ３は各々が独立してアルコキシル基であり、ＭはＩＩＩ族金属、例えばＢ、Ａｌ、Ｇａ、Ｉｎのうちの１つ又は複数を含むが、特に、適切な金属はＡｌである。Ａｌの使用は反応性の観点から、またさらには、この使用がＵＶ放射光に対して比較的透過性であり、及び／又は、ＵＶ放射光を実質的に吸収しない残存プライマー材料をもたらすので望ましいものであるが、このことは、他の適切なプライマーの場合には当てはまらない場合がある。例えば、プライマーは、トリ−ｓｅｃ  ブトキシド、トリ−ｎ−ブトキシド、ｔｅｒｔ−ブトキシド、トリ−ｎ−プロピルオキシド、トリ−イソプロピルオキシドのうちの１つ又は複数を含むが、さらに、例えば異なる側基を含む他のものであってもよい。プライマーがＡｌ［ＯＣＨ（ＣＨ３）Ｃ２Ｈ５］３及びＡｌ［ＯＣ（ＣＨ３）３］３のうちの１つ又は複数を含む方法において、特に良好な結果が得られた。
【０１３６】
したがって、実施形態において、本発明は、例えば、比較的薄い厚さ、例えば≦２０ｎｍをもつＡｌ層を提供することを有する。これは、活性化工程を使用して加水分解的に安定した結合を提供することを依然として可能にする。しかし、これは、層の所望のＵＶ−Ｃ透過性をさらに提供する。
【０１３７】
このような（薄い）Ａｌ層は、ポリマー、特にフッ素重合体、例えばさらには特にフッ素化エチレンプロピレン（ＦＥＰ）層に堆積させられる。反射層として例えばフッ素重合体層の代わりにＡｌ層を使用することは、Ａｌ層を官能基化することがフッ素重合体層を官能基化することより簡単であるという利点をもつ。
【０１３８】
上述のように、統合されたＡｌ層を提供する代わりに、Ａｌ島状体がポリマー層に堆積させられてもよい。「Ａｌ島状体」という用語は、直接接触していない２つ以上のドメイン、特に複数のドメインを含む任意の不連続なＡｌ層を実質的に表す。Ａｌドメインの（本例において特に等価直径として規定された）寸法は、０．０１ｍｍから５ｍｍまで、より具体的には０．１ｍｍから０．５ｍｍまでの範囲であり得、及び、表面積当たりのＡｌドメインの数は１ｃｍ２当たり１から１０，０００の範囲でなければならないのに対し、統合されたスタックのＵＶ透過性を維持するために、コーティングされていない面積に対するアルミニウムドメインの表面積は１０％より大きくなってはならない。不規則に形作られた二次元形状の等価直径（又はＥＣＤ）は、同等な面積の円の直径である。例えば、辺ａをもつ正方形の等価直径は、２×ａ×ＳＱＲＴ（１／π）である。
【０１３９】
Ａｌ層は、（プラズマ支援）化学又は物理蒸着工程中に、ポリマー、特にフルオロポリマー、例えばＦＥＰに熱的に接続される。このようなＡｌ層は、上述のように直接的に、又は、中間層としてシリコーンゲルを介して、シリコーンに結合される。
【０１４０】
しかしフッ素重合体が第１のシリコーン層に結合するために使用されてもよい。上述のように、カルボン酸基の代わりにＦＥＰ層などのフッ素重合体にＮＨ２基を固定することが可能である。これらは、例えばシリコーン表面における活性化されたカルボキシル基と反応可能にされる。
【０１４１】
代替的に、又は追加的に、シリコーン層が第１のシリコーン層に結合するために使用される。このようなシリコーン層、又はフッ素重合体層は、反射材料を含み、上記の内容も参照されたい。上述の材料に代えて、又は加えて、比較的不活性な窒化ホウ素が母材、例えばシリコーン母材に組み込まれ得る。
【０１４２】
方法に関する上述の情報は、第１の層要素と第２の層要素との両方の層を実質的に表す。さらに、上述のように、実質的に完全に反応したシリコーンが適用される場合、シリコーンを活性化することも必要であってよい。もちろん、液体シリコーンが適用されてもよく、結果として、液体シリコーンの反応基が適用されて（も）よい（上記の内容も参照されたい）。
【０１４３】
したがって、実施形態において、−ＯＨ基、−ＣＯＯＨ基、−ＮＨ２基、及び任意選択的に−Ｓｉ−Ｈ基のうちの１つ又は複数を提供するようにシリコーンを官能基化することが必要である。
【０１４４】
例えば、実施形態において、側基、例えば特にシリコーン鎖のメチル側基が、例えばＵＶオゾン、Ｏ２プラズマ、及び強酸のうちの１つ又は複数により酸化され得る。この手法により、ヒドロキシル基又はカルボニル基が形成される。上述のように、これらは、例えばエーテル又はエステルを形成するように反応させられ得る。
【０１４５】
特に、加水分解的に安定したアミン結合に対して、ＮＨ２側基が生成される。例えば、プラズマ化学を使用して、側鎖が、さらに、アミンを形成するように例えば（活性化された）カルボキシル基と反応し得るＮＨ２基により官能基化され得、上述のＥＤＣ−ＮＨＳの化学的親和性をさらに参照されたい。
【０１４６】
特定の実施形態において、後側阻止層に対して、アルミニウムが、活性化後にシリコーン材料上に直接的に蒸着させられ得、金属層の不浸透性が、この工程において形成されたＡｌ−Ｏ−Ｃ結合の加水分解を防ぎ得る。特定の実施形態において、例えばフッ素重合体といった、より長い期間の保護を提供する隣の層への接着性を高めるために、アルミニウムの島状体が堆積させられる。
【０１４７】
任意選択的に複数のＡｌドメインの形態をとるＡｌ層を獲得するために、第１の（シリコーン）層において、加水分解的に安定した反応点を提供するために、シリコン側鎖がＮＨ２の化学的親和性を使用して官能基化される。アルミニウム、例えば複数のアルミニウム島状体が堆積させられる。このようなアルミニウム層は、より低いコストの濡れ防止層、例えば２Ｋ  ＰＵＲポッティング材料が分子接着を使用してシリコーンに「直接的に」結合することを可能にするためにＡｌの表面活性化と組み合わされて、接着を促進するために、及び、熱膨張係数の差に伴う問題を回避するために使用される。
【０１４８】
特定の実施形態において、シリコーンと保護材料とが液体形態である場合、シリコーンと保護材料とを共反応させることさえ可能である。フッ化炭素プレポリマーとシリコーンプレポリマーとが液体形態で一緒に結合された場合、フッ化炭素プレポリマーとシリコーンプレポリマーとが、相互接続された分子ネットワークを形成し得る。したがって、フッ化炭素とシリコーンとを空間を設けて離すことが望ましいものであり、これは、デュアルレイヤー射出成形様セットアップにおいて可能であり、又は、さらには、フルオロポリマー及びシリコーンポリマーの異なる表面張力に基づいて可能である。実施形態において、異なる液体を分離するために、表面張力差が使用される。さらに、Ｐｔ触媒作用によるビニル重合が適用されてよい。これは、ビニル官能基化性を使用したペルフルオロ化合物の修飾を必要とする。したがって、実施形態において、本方法は、完全には硬化していないシリコーン層を別の層、例えば官能基化アルミニウムコーティングを含むポリマー層（例えばフッ素重合体）、又はポリマー層自体（例えばフッ素重合体）に接触させることをさらに有する。
【０１４９】
硬化の化学的作用が完全に調整されていない場合、ポリマー鎖間の密接な機械的接続が既に、十分な接着及び化学的保護につながり得る。多ＮＨ２修飾シリコーン化合物の拡散は出発点となり得、再度形成する酸官能基化ペルフルオロ化合物、及び、これらを保持するアミドのための反応点を提供する。母材内に多ＮＨ２修飾シリコーン化合物と酸フルオロ化合物との両方を拡散するために、シリコーンにおける利用可能な有孔性が使用されてよい。
【０１５０】
上述のように、特定の実施形態において、層スタックは、物体、例えば例示として船に提供される。導波路の後側の劣化が前部におけるＵＶ−Ｃの導出にも影響するので導波路の後側は海水環境又は他の望ましくない条件の影響を受けないものであってよい。したがって、層スタックの物体側は、船などの物体に適切に接着することを必要としてよい。ＦＥＰ層を含む場合、ＦＥＰ層は同様に硬質であり、アルミニウムを使用して、プラスチックキャリア、例えば例としてＰＥＴに薄いアルミニウム層を使用することが可能である。したがって、実施形態において、本方法は、したがって、物体の表面の少なくとも一部に層スタックを提供することをさらに有する。このようなプラスチックキャリアは、物体の表面に、より簡単に付着させられる。
【０１５１】
上述のように、第１の（シリコーン）層は、導波路層として使用され、１つ又は複数の、特に複数の光源が（少なくとも部分的に）埋設される。したがって、実施形態において１つ又は複数の、特に複数のソリッドステート光源が第１のシリコーン層に埋設される。このような第１のシリコーン層に層が提供される。
【０１５２】
さらに異なるさらなる一態様において、本発明は、物体、例えば使用中に少なくとも一時的に水にさらされる物体に生物防汚システムを提供する方法をさらに提供し、本方法は、物体、例えば船舶に対する生物防汚システムを提供すること、例えば物体に統合すること、及び／又は、表面、例えば外面に付着させることを有する。特に、ＵＶ出射要素は、物体の表面、例えば外面の一部、及び、（使用中に）そのような一部に近接した（している）水のうちの１つ又は複数に、ＵＶ放射光を提供するように構成されてよい。特に、ＵＶ出射要素は外面に付着させられ、又は、外面の（第１の）一部として構成されさえしてよい。
【０１５３】
本明細書において説明される発明を使用して、表面が、生物汚損が減らされるか、又は防がれるように生物防汚放射光を使用して処置される。したがって、さらに異なるさらなる一態様において、本発明は、本明細書において規定される物体の外面に結び付けられた光導波路要素の表面における生物汚損を防ぐ及び／又は減らす方法をさらに提供し、本方法は、ＵＶ放射光を生成することと、ＵＶ放射光の少なくとも一部が表面を介して光導波路要素から逃げるようにしながら、表面にＵＶ放射光を提供することとを有する。さらに異なるさらなる一態様において、本発明は、物体の表面、例えば外面における生物汚損を防ぐ及び／又は減らす方法を提供し、物体の使用中に外面が少なくとも一時的に水にさらされ、本方法は、（例えば本明細書において説明されている）生物防汚システムによりＵＶ放射光を生成することと、物体の外面及び外面に近接した水にＵＶ放射光を提供することとを有し、生物防汚システムは、本明細書において説明されている光導波路要素を備える。光導波路要素が物体の表面にＵＶ放射光を提供するために使用され得、又は、光導波路要素が物体の表面を提供する。
【０１５４】
「結び付ける」という用語及び同様の用語は、要素の機能的結合を表す。例えば光導波路要素は、例えば機械的手段、グルー、接着剤などのうちの１つ又は複数を使用して物体にコーティングされてよく、又は、物体に付着させられてよい。光源に関する文脈における「結び付ける」という用語及び同様の用語は、要素が光源放射光の少なくとも一部を受光するように、要素及び光源が関連付けられるという意味で、例えば放射光的な結合も表す。
【０１５５】
（化学結合に）加えて、又は代えて、熱結合も適用される。熱結合は、表面が蒸気の熱エネルギーにより変形され、蒸気を表面内に侵入させ、このことが、冷却時に蒸気の周囲を収縮させることを含意する。この手法により、例えばＡｌの「スパイク」が後続のＡｌ蒸気に対する「固定部」としてＰＥＴ表面に形成される。Ａｌの閉じられた層が形成されるとすぐに、固定がもはや行われなくなる。
【０１５６】
上述のように、本発明は、光源放射光を生成するように構成された光源を備えるシステムを提供し、光源放射光は、ＵＶ放射光を少なくとも含む。ＵＶ放射光は、特に生物防汚目的に使用される。システムは、細菌及び／又は他の微生物を無力化するために、又は細菌及び／又は微生物の付着を防ぐために使用され、生物防汚システムは、概して、さらに「システム」及び、特定の実施形態において「抗マイクロ生物的汚損システム」、又は「衛生システム」などとして示される。本明細書において、本システムは、「生物防汚システム」又は「システム」としてさらに示される。
【０１５７】
特に、システムは、ＵＶ出射要素を備える。実施形態において、このようなＵＶ出射要素は、複数の光出射面をもつ光源を備える。実施形態において、このようなＵＶ出射要素は、例えばＵＶ放射光の比較的広いビームを提供するための、例えばアレイ状に構成された複数の光源を備える。例えば、ＵＶ出射要素は、グラファイト系基材において成長させられた複数のナノワイヤー又はナノピラミッドであって、ナノワイヤー又はナノピラミッドが、ｐ−ｎ又はｐ−ｉ−ｎ接合部を含む、複数のナノワイヤー又はナノピラミッドと、グラファイト系基材に電気的に接触した第１の電極と、任意選択的に光反射層の形態をとるナノワイヤー又はナノピラミッドの少なくとも一部の上部に接触した第２の電極とを備え、ナノワイヤー又はナノピラミッドが、例えば例としてＷＯ２０１７００９３９４Ａにおいて説明されている少なくとも１つのＩＩＩ−Ｖ族化合物半導体を含む、発光ダイオードデバイスを備える。このようなＵＶ出射要素は、例えば導波路の表面の少なくとも一部にわたってＵＶ放射光を配光するための導波路をさらに備える。すべての実施形態において、ＵＶ出射要素は、動作中にＵＶ放射光を生成するように構成されるが、このＵＶ放射光に付随した他の放射光が本明細書において除外されるわけではない。これらの実施形態のうちのいくつかが後でさらに詳細に説明される。
【０１５８】
上述のように、システムは、特に導波路を備える。導波路の外部における１つ又は複数の光源、及び／又は、導波路に埋設された１つ又は複数の光源が、導波路に光源放射光を提供する。全反射により、光源放射光の少なくとも一部が導波路にわたって配光され、導波路の放射光出口窓から逃げる。導波路は、シート様光出力デバイスに含まれる。したがって、実施形態においてシステムは、導波路要素配置体を備え、導波路要素配置体は、放射光出口窓を備える導波路要素を備え、導波路要素は、（ａ）光源放射光を受光するように構成され、及び（ｂ）放射光出口窓を介して導波路要素の外部に光源放射光の一部を（動作モードにおいて）放射するように構成されている。「導波路要素」という用語の代わりにＵＶ出射要素という用語も使用される。特に、導波路要素は、ＵＶ放射光をシステムの使用中に提供するように構成される。「導波路要素」という用語は、特に導波路、及び任意選択的に導波路内に埋設された他の要素、例えば光源を表す。
【０１５９】
特定の実施形態において、光源は、導波路要素内に埋設される。したがって、単一の光出射面をもつ単一光源、複数の光出射面（例えば複数のファイバーのファイバー先端部）をもつ単一光源、又は、複数の光出射面（例えば（ＬＥＤダイが光出射面である）複数のＬＥＤ）を含む複数の光源が、導波路要素内に埋設され、すなわち特に導波路材料、例えば例としてシリコーンに埋設される。したがって、導波路要素は、特に導波路材料を含む。光源は、導波路材料に（少なくとも部分的に）埋設される。光源放射光は、導波路材料を通って伝播し、放射光出口窓を介して導波路材料から逃げる。導波されたＵＶ光の一部は、（例えばシリコーンにより）導波路の内側において散乱され、導波路を去るには十分に急な角度のもとで放射光出口窓に到達する（及び防汚を可能にする）。
【０１６０】
さらに異なるさらなる一態様において、本発明は、本明細書において規定されているようにシステムに機能的に結合された、又はシステムに含まれるコンピュータにおいて動作したとき、光源を制御するように構成されるコンピュータプログラム製品をさらに提供する。これは、したがって、複数の光源が制御されることも意味してよい。この手法により、光源放射光の空間的配光、例えば光出射面から逃げることが制御される。センサーのセンサー信号、タイマーなどのうちの１つ又は複数に従って制御が行われる。したがって、システムは、生物汚損、温度、例えば特に光出射面といったシステムの一部と、例えば特に光出射面といったシステムに接近した水、ヒト、又は動物との接触などのうちの１つ又は複数を検出するように構成される１つ又は複数のセンサーをさらに備える。
【０１６１】
「制御」という用語は及び同様の用語は特に少なくとも、挙動を決定すること、又は要素の動作を監督することを表す。したがって、本明細書において「制御」及び同様の用語は、例えば要素に、例えば例として、測定すること、表示すること、作動すること、開くこと、シフトさせること、温度を変化させることなどの挙動を課すこと（挙動を決定すること、又は要素の動作を監督すること）などを表してよい。加えて、「制御」という用語及び同様の用語は、監視することをさらに有してよい。したがって、「制御」という用語及び同様の用語は、要素に挙動を課すこと、並びに、さらには、要素に挙動を課すこと及び要素を監視することを有してよい。要素の制御は、制御システムを使用して行われ得る。したがって、制御システム及び要素は、少なくとも一時的に、又は永久的に、機能的に結合されてよい。要素は、制御システムを備えてよい。実施形態において、制御システム及び要素は、物理的に結合されないものであってよい。制御は、有線及び／又は無線制御を介して行われ得る。「制御システム」という用語は、特に機能的に結合された複数の異なる制御システムも表してよく、例えば、そのうちのある制御システムがマスター制御システムであってよく、１つ又は複数の他の制御システムがスレーブ制御システムであってよい。
【０１６２】
上述のように、生物防汚システムはＵＶ出射要素を備える。「ＵＶ出射要素」という用語は、複数のＵＶ出射要素を表してもよい。したがって、システムは、複数のこのような要素を含んでよい。システムは、電気エネルギーの供給源を含んでよいが、システムは、さらに（使用中に）電気エネルギーの供給源と機能的に結合されてよい。実施形態において、各ＵＶ出射要素は、エネルギー源に機能的に結合されてよい。これは、ＵＶ出射要素の分散型給電を可能にする。エネルギー源は特に光源に給電するために使用される。
【０１６３】
本明細書、ＵＶ出射要素は、「ライティングモジュール」としても示され得る。ＵＶ出射要素は、少なくとも部分的に、又は、さらには全体的にＵＶ出射要素内に埋設された１つ又は複数の関連要素を含む（本明細書において「光学媒体」としても示される）プレート様モジュールであってよい。したがって、実施形態において、ＵＶ出射要素は、例えばシリコーンなどの光透過性（固体）材料を含む。しかし、ＵＶ要素は、１つ又は複数の関連要素を少なくとも部分的に、又は、さらには全体的に囲むハウジングをさらに含んでよい。１つ又は複数の関連要素は少なくとも、光源放射光、特にＵＶ放射光を提供するように構成された光源を備える。ＵＶ出射要素は、平らな、又は湾曲した放射光出口窓を含んでよい。「ＵＶ出射要素」という用語は、要素が特に要素の使用中にＵＶ放射光を提供するように構成されることを示す。
【０１６４】
導波路要素は、プレート、任意選択的に湾曲形状として形作られてよい。しかし、導波路要素は、他の形状をもってもよい。これは、例えば用途に依存する。例えば、物体がドアノブ、水道のノブ、トイレのノブ、手すり、キッチンのまな板、又は医療デバイスである場合、導波路要素の形状は、プレートと異なってよく、又はプレートと異なる必要があってよく、及び、１つ又は複数の湾曲した面を含んでよい。
【０１６５】
導波路要素は平面であってよいので、光軸が導波路要素の長さ軸に対して実質的に平行であるように、光源が構成されてよい。これは、導波路にわたる光源放射光の配光を円滑化する。例えば、光源は、側面発光ＬＥＤを含んでよい。特に、導波路要素は、複数の側面発光ＬＥＤを含んでよい。
【０１６６】
ＵＶ出射要素は、ＵＶ放射光出口窓を備える。ＵＶ放射光出口窓は、光源のＵＶ放射光の少なくとも一部を透過するように構成される。ＵＶ放射光の少なくとも一部は、放射光出口窓を介してＵＶ出射要素の外部に逃げる。したがって、出口窓は、ＵＶ放射光に対して透過性である。概して、窓は可視光に対しても透過性である。上述のように、及び、以下でさらに説明されるように、実施形態において、要素は、放射光透過プレートである。このような例において、窓は、要素の面（又は平面）である。
【０１６７】
「放射光透過」という用語は、放射光に対する、特にＵＶ放射光に対する、及び、任意選択的にさらに可視放射光に対する透過性を表す。
【０１６８】
ＵＶ放射光出口窓は、上流窓側と下流窓側とを備える。「上流」及び「下流」という用語は、光生成手段（本例において特に光源）からの光の伝播に対するアイテム又は特徴の配置に関連し、光生成手段からの光のビーム内における第１の位置に対して、光生成手段により近い光のビーム内における第２の位置が「上流」であり、光生成手段からより遠い光のビーム内における第３の位置が「下流」である。したがって、上流窓側（「上流側」）は、特に要素の内部に向けられ、光源放射光を直接的に、又は内部反射後に受光してよい。下流窓側（「下流側」）は、特に要素の外部に向けられてよい。この窓側は、システムの使用中に例えば水に（一時的に）接触する。要素の板様の実施形態では、上流窓側及び下流窓側は、（同じ）縁部（又は平面）の両側であってよいことに留意されたい。
【０１６９】
上述のように、特に物体、又は生物防汚システムは、制御システムをさらに備えてよい。したがって、物体は、このような制御システムを備えてよい。実施形態において、生物防汚システムは制御システムを備えるが、物体の外部にある。したがって、実施形態において生物防汚システムは、任意選択的にＵＶ出射要素により囲まれた制御システムをさらに備えてよい。制御システムが１つより多い要素を備える場合、１つ又は複数の要素が物体に含まれ、及び／又は、１つ又は複数の要素が物体の外部に構成される。
【０１７０】
一実施形態において、制御システムは、複数の制御システムを備える。例えば、船舶は、マスター制御システムとして制御システムを備え、各生物防汚システムがスレーブ制御システムを備える。任意選択的に、制御システムは、物体の外部に、すなわち物体から離れて構成される。特定の実施形態において、物体から離れたマスター制御システムが、（生物防汚システムなどの）物体に含まれるスレーブ制御システムを制御する。したがって、例えば（マスター）制御システムが、遠く離れたものであり、又は、船舶上になく、陸上、例えば船会社の制御室内にある。このようなマスター制御システムは、生物防汚を制御するように構成される。
【０１７１】
特に、システムは複数のＵＶ光源を備えてよい。さらには特に、これらは、実質的に規則的なパターンにより配置されてよい。
【０１７２】
したがって、実施形態において、生物防汚システムは複数の光源を備え、近接した光源は、０．５〜２００ｍｍ、例えば２〜１００ｍｍの範囲から選択された相互の光源距離（ｄ１）にある。
【０１７３】
さらに異なるさらなる実施形態において、生物汚損システムは複数のＬＥＤを備え、ＬＥＤは、ＵＶ放射光を生成するように構成され、ＬＥＤは、ＬＥＤダイを備え、近接したＬＥＤのＬＥＤダイは、０．５〜２００ｍｍの範囲から選択された相互の光源距離（ｄ１）にある。
【０１７４】
既にここまでに示されているように、システムは、複数の光源をさらに備えてよく、各光源は、主に放射光出口窓の一部に向けられる。
【０１７５】
したがって、特にシステムは、生物防汚システムである。実施形態において、生物防汚システムは、シート様光出力デバイスなどの導波路要素を備え、さらなる特定の実施形態において、光源は導波路要素に埋設される。特に、導波路要素は水密性である。本明細書において、「水密性」という用語は、特定の実施形態において、国際防水等級マークＩＰｘ５以上、例えばＩＰＸ６、例えば特にＩＰｘ７（最大１ｍの深さへの浸漬）、さらには特に、ＩＰｘ８（１ｍ以上の深さへの浸漬）を表してよい。ｘの値は、特に少なくとも４、例えば少なくとも５、例えば６である。
【０１７６】
上述のように、実施形態において、ＵＶ出射要素は、（ｉ）外面の一部、及び（ｉｉ）外面の一部に近接した水のうちの１つ又は複数を（照射段階中に）ＵＶ放射光を使用して照射するように構成される。「一部」という用語は、例えば船殻又は水門（扉）などの物体の外面の一部を表す。しかし「一部」という用語は、船殻又は水門の外面などの外面の実質的に全体も表してもよい。特に、外面は、１つ又は複数の光源のＵＶ光を使用して照射される、又は１つ又は複数のＵＶ出射要素のＵＶ放射光を使用して照射される複数の部分を含んでよい。各ＵＶ出射要素は、１つ又は複数の部分を照射してよい。さらに、任意選択的に２つ以上のＵＶ出射要素のＵＶ放射光を受光する部分が存在してよい。
【０１７７】
概して、特に水に関連した（例えば海洋の）用途を表す場合、２つの主な実施形態が区別される。実施形態のうちの１つは、少なくとも照射段階中に、光源とＵＶ出射要素との間の海水などの水（又は、水線より上方の場合は空気）とともに、外面の一部がＵＶ放射光を使用して照射されることを有する。このような実施形態において、その部分は特に物体の「元の」外面に含まれる。しかし、さらに異なる別の実施形態において、「元の」外面は、物体（例えば船舶の船殻）の「元の」外面に付着させられたモジュール、特に比較的平らなモジュールを使用して拡張されてよく、これにより、モジュール自体が外面を実際に形成する。例えば、このようなモジュールは船舶の船殻に結び付けられてよく、これによりモジュールが外面（の少なくとも一部）を形成する。両方の実施形態において、ＵＶ出射要素が特に放射出口面を備える（さらに以下を参照されたい）。しかし、特にＵＶ出射要素が外面の一部を提供する後述の実施形態では、このような放射光出口窓が、（第１の部分として）その部分を提供してよく（放射光出口窓が実質的に一致してよく、特に同じ表面であってよい）。
【０１７８】
したがって、一実施形態において、ＵＶ出射要素は、外面に付着させられる。さらに異なるさらなる特定の実施形態において、生物防汚システムの放射光出口窓は外面の一部として構成される。したがって、実施形態のうちのいくつかにおいて、物体は船殻を備える船舶を備えてよく、ＵＶ出射要素は船殻に装着される。「放射光出口窓」という用語は、複数の放射光出口窓を表してもよい（以下も参照されたい）。
【０１７９】
両方の概括的な実施形態において、ＵＶ出射要素は、外面の一部に近接した水を（照射段階中に）ＵＶ放射光を使用して照射するように構成される。モジュール自体が外面を実際に形成する実施形態において、ＵＶ出射要素は、モジュール自体が実際に外面の一部であるので外面の一部を、及び、任意選択的にさらに外面の一部に近接した水を、（照射段階中に）ＵＶ放射光を使用して照射するように少なくとも構成される。これにより、生物汚損が防止及び／又は低減される。
【０１８０】
一実施形態において、汚損からきれいに維持される被保護面のうちの大幅な部分、好ましくは被保護面、例えば船の船殻の全体が、殺菌光（「防汚光」）、特にＵＶ光を出射する層によりカバーされる。
【０１８１】
さらに異なる別の実施形態において、ＵＶ放射光（防汚光）は、ファイバーなどの導波路を介して保護される表面に提供される。
【０１８２】
したがって、一実施形態において、防汚ライティングシステムが光学媒体を備えてよく、光学媒体が汚損面にＵＶ放射光（防汚光）を提供するように構成された導波路、例えば光ファイバーを備える。例えば導波路の表面であって、その表面からＵＶ放射光（防汚光）が逃げる表面は、本明細書において出射面としても示される。概して、導波路のこの部分は、少なくとも一時的に沈められてよい。出射面から逃げるＵＶ放射光（防汚光）に起因して使用中に液体（例えば海水）に少なくとも一時的にさらされる物体の要素が照射されることにより防汚されてよい。しかし、出射面自体も防汚されてよい。この効果は、以下で説明される光学媒体を備えるＵＶ出射要素の実施形態のうちのいくつかにおいて使用される。
【０１８３】
光学媒体を含む実施形態は、ＷＯ２０１４１８８３４７においても説明されている。ＷＯ２０１４１８８３４７における実施形態は本明細書において説明される制御ユニット及び／又は水スイッチ及び他の実施形態と組み合わせ可能であるので、ＷＯ２０１４１８８３４７における実施形態も本明細書に参照により組み込まれる。
【０１８４】
上述のように、本発明は、水に関連した（例えば海洋の）用途以外の他の用途のために、例えば（ドア）ノブ、病院のカーテン、又は他の医療及び非医療用途などのためにも適用されてよい。
【０１８５】
上述のように、ＵＶ出射要素は、特にＵＶ放射光出口窓を備えてよい。したがって、特定の実施形態において、ＵＶ出射要素はＵＶ放射光出口窓を備え、ＵＶ出射要素は、特にＵＶ出射要素のＵＶ放射光出口窓より下流においてＵＶ放射光を提供するように構成される。このようなＵＶ放射光出口窓は光学窓であって、この光学窓を通して放射光がＵＶ出射要素から逃げる光学窓であってよい。代替的に、又は追加的に、ＵＶ放射光出口窓は、導波路の表面であってよい。したがって、ＵＶ放射光は、ＵＶ出射要素において導波路内に結合され、及び導波路の面（の部分）を介して要素から逃げる。ここまでにも説明されるように、実施形態において、放射光出口窓は、任意選択的に物体の外面の一部として構成される。「逃げる」に対する別の用語は、「導出する」であり得る。
【０１８６】
特に、（ソリッドステート）光源は、少なくとも第１のＵＶ放射光レベルと第２のＵＶ放射光レベルとの間において制御可能であり、第１のＵＶ放射光レベルは第２のＵＶ放射光レベルより大きい（及び、第２のＵＶ放射光レベルは第１の放射光レベルより小さく、又は、さらにはゼロであってよい）。したがって、一実施形態において光源は、（放射段階中に）オフにスイッチングされ得る、及び、オンにスイッチングされ得る。さらに、任意選択的にさらにＵＶ放射光の強度は、段階的な、又は連続的なＵＶ放射光強度制御などの、これらの２つの段階の間において制御されてよい。したがって、光源（したがって、そのＵＶ放射光強度）が特に制御可能である。
【０１８７】
（水に関連した（例えば海洋の））実施形態において、生物防汚システムは、特に物体の一部に、又はこの一部に近接した水にＵＶ放射光を提供するように構成される。これは、特に照射段階中にＵＶ放射光が適用されることを意味する。したがって、任意選択的に、ＵＶ放射光がまったく適用されない期間がさらに存在してよい。（したがって）これは、例えばＵＶ出射要素のうちの１つ又は複数の制御システムスイッチングに起因してよいだけでなく例えば既定の状況、例えば、日中及び夜、又は水温などにも起因してもよい。例えば、一実施形態において、ＵＶ放射光はパルス状の手法により適用される。
【０１８８】
したがって、特定の実施形態又は態様において、生物防汚システムは、汚損面又はそれに近接した水に防汚光（すなわちＵＶ放射光）を提供することにより、使用中に少なくとも一時的に水にさらされる物体の汚損面における生物汚損を防ぐか、又は減らすように構成される。特に、生物防汚システムは、汚損面に光学媒体を介して防汚光を提供するように構成されてよく、ＵＶ出射要素は、ＵＶ放射光（防汚光）の少なくとも一部を受光するように構成された（ｉｉ）光学媒体をさらに備え、光学媒体は、ＵＶ放射光（防汚光）の少なくとも一部を提供するように構成された出射面を備える。さらに、特に光学媒体は、導波路と光ファイバーとのうちの１つ又は複数を備え、ＵＶ放射光（防汚光）は、特にＵＶＢ光とＵＶＣ光とのうちの１つ又は複数を含む。これらの導波路及び光学媒体は本明細書においてさらに詳細に説明されない。
【０１８９】
本発明の実施形態が添付の概略図を参照しながら例示としてのみ以下で説明され、図中、対応する参照符号が対応する部分を示す。
【図面の簡単な説明】
【０１９０】
【図１】図１ａから図１ｈは、いくつかの概括的な態様を概略的に示す図である。
【図２】図２ａから図２ｆは、いくつかの実施形態を概略的に示す図である。
【図３】図３は、任意選択的に組み合わされて適用されるいくつかの変形例を概略的に示す図である。
【図４】図４ａから図４ｅは、いくつかの変形例及び態様を概略的に示す図である。
【発明を実施するための形態】
【０１９１】
図は一定の縮尺とは限らない。
【０１９２】
図１ａは、ＵＶ出射要素２１０を備える生物防汚システム２００の一実施形態を概略的に示す。ＵＶ出射要素２１０は、ＵＶ放射光出口窓２３０を備える。ＵＶ出射要素２１０は、ＵＶ放射光２２１（防汚光）を提供するように構成された光源２２０を少なくとも部分的に囲む。本例において、例示として３つの光源２２０が描かれている。本例において、ＵＶ出射要素２１０は、ＵＶ出射要素２１０内に埋設された要素を含む導波路又は光導波路として構成される。したがって、光源２２０は、この概略的に示される実施形態において、導波路に埋設される。ＵＶ放射光出口窓２３０は、光源２２０のＵＶ放射光２２１の少なくとも一部を透過するように構成される。ＵＶ放射光出口窓２３０は、本例において光源に向けられた上流窓側２３１と、下流窓側２３２とを備える。図１ａにおいて、光導波路３００又は光学媒体及び第１の層要素３０を備える光導波路要素１３００が概略的に描かれている。光導波路３００は放射光出口窓２３０を備える第１の光導波路面３０１を備える。光導波路３００は、特に第１の光導波路面３０１と、第２の光導波路面３０２により示された第１の光導波路面３０１の反対側の面を含むプレートである。それらの面間の距離は、参照符号ｈ３により示される光導波路３００の厚さ又は高さを規定する（長さ及び幅（図２ｅも参照されたい）は、高さよりはるかに大きいものである）。第２の面３０２は、反射層を含む。
【０１９３】
第１の層要素３０は光学層３１０を備える。光学層３１０は第１の光導波路面３０１の少なくとも一部に接触している。光学層は、第１の光導波路面の少なくとも一部と物理的に接触している。特に、光学層３１０は、２８０ｎｍにおいて１．３６未満の第１の屈折率ｎ１をもつ。さらに、光導波路３００はＵＶ放射光透過性光導波路材料３０５（例えばシリコーン）を備える。光学層３１０は光学層材料３１５を含む。この光学層材料３１５はＵＶ放射光に対して特に透過性であるが、水より低い屈折率をもつ。この手法により、本層は、光導波路要素１３００が水環境に適用されたとき、ＵＶ放射光からの導出を低減し、第１の光導波路面の他の部分における放射光の導出を増やす。光学層３１０は、下流窓側２３２に構成される。本例において、例示として光導波路３００は光学構造物７を備える。これらは、光導波路内にあり、又は、光導波路３００の面にある。光学構造物７は、ＵＶ出射要素２１０から逃げるＵＶ放射光２２１の均一な配光を提供するように構成される。本例において、光源２２０は、光導波路要素１３００に含まれるものとして説明されているが、必ずこうなるわけではない（図２ｃも参照されたい）。
【０１９４】
光源２２０と組み合わされた光導波路要素１３００は、例えば（被保護）面の防汚のためのライティングモジュールとして使用され得る。（したがって）このようなモジュールは、防汚光を生成するための少なくとも１つの光源、及び、光学媒体を通して防汚光の少なくとも一部を配光するための光学媒体を備え、光学媒体は、ライティングモジュールが被保護面内に、被保護面に、及び／又は被保護面付近に配置されたときに、被保護面から離れる方向に配光された防汚光を出射するための出射面を備える。出射面は、実質的に平面の表面である。出射面は、第１の層要素３０を含むＵＶ放射光出口窓２３０である／第１の層要素３０を含む第１の光導波路面３０１である。
【０１９５】
図１ｂ〜図１ｄは、使用中に水２中に少なくとも部分的に沈められる物体１０の実施形態を概略的に示し、水線１３を参照されたい。物体１０、例えば船舶又は水門（以下も参照されたい）は、特に、物体１０、例えば船殻又は船殻の一部の表面１１、例えば外面の一部１１１へのＵＶ放射光２２１の適用のためのＵＶ出射要素２１０を備える生物防汚システム２００をさらに備える。本例において、２つの実施形態が示され、生物防汚システム２００、又はさらには特にＵＶ出射要素２１０が外面の一部であることにより、外面の一部を実際に形成し（図１ａ）、又は、ＵＶ出射要素２１０が外面を照射するように構成され、及び船の船殻などの外面の一部を形成するとは限らない（図１ｃ）。例えば、物体１０は、船舶１及びインフラストラクチャー物体１５からなる群から選択される（以下も参照されたい）。特に図１ｂにおける基準４００は、実施形態において生物防汚システム２００の光源２２０を制御する制御システムを表す。
【０１９６】
ＵＶ出射要素２１０は、１つ又は複数の光源２２０を備え、したがって、特に、（ｉ）外面１１の一部１１１及び（ｉｉ）外面１１の一部１１１に近接した水のうちの１つ又は複数を、照射段階中にＵＶ放射光２２１を使用して照射するように構成される。前者の変形例は、図１ｃの実施形態に特に適用され、後者の実施形態は、図１ｂ〜図１ｃの両方の実施形態に特に適用される。しかし、ＵＶ出射要素２１０の表面、例えば外面が物体１０の外面として構成される場合、もちろん、一部１１１自体がＵＶ放射光２１を使用して照射されることに留意されたい。
【０１９７】
したがって、ＵＶ出射要素２１０はＵＶ放射光出口窓２３０を備え、ＵＶ出射要素２１０は、ＵＶ出射要素２１０のＵＶ放射光出口窓２３０より下流にＵＶ放射光２２１を提供するように構成される。
【０１９８】
上述のように、参照符号１により示される「船舶」という用語は、例えば、例えば図１ｄに概略的に示される、例えばボート又は船（図１ｄにおける参照符号１０ａ）など、例えば帆船、タンカー、巡航船、ヨット、フェリー、潜水艦（図１ｄにおける参照符号１０ｄ）などを表す。参照符号１５により示される「インフラストラクチャー物体」という用語は、特に、概して実質的に動かないように配置された、水に関連した用途、例えばダム／水門（図１ｄにおける参照符号１０ｅ／１０ｆ）、はしけ（図１ｄにおける参照符号１０ｃ）、石油採掘装置（図１ｄにおける参照符号１０ｂ）などを表す。
【０１９９】
図１ｅは、本例において例示として、統合された制御システム３００及び統合されたセンサー３１０を含む生物防汚システム２００の一実施形態をより詳細に概略的に示す。
【０２００】
図１ｆは、（本例において船舶１の船殻２１に結び付けられた）例示として複数のＵＶ出射要素２１０を含む、例えば船舶の壁又はインフラストラクチャー物体の壁といった物体１０の表面１１、例えば外面を概略的に示す。代替的に、又は追加的に、複数の機能的に結合された、又は独立して機能する生物防汚システム２００が適用されてよい。
【０２０１】
図１ｆはさらに、生物防汚システム２００が（複数の光源を含む）複数のＵＶ出射要素２１０、複数の放射光出口窓２３０、及び複数の一部１１１を備える実施形態を概略的に示し、複数の光源２２０が、複数の一部１１１に複数の放射光出口窓２３を介してＵＶ放射光２２１を提供するように構成され、複数の一部１１１が、物体１０の異なる高さに構成され、制御システム３００が、入力情報に応じて個々に光源２２０を制御するように構成される。例えば、一実施形態において、制御システム３００は、水に対する外面１１の一部１１１の位置に応じて、個々に光源２２０を制御するように構成される。
【０２０２】
図１ｇは、物体１０の実施形態としての船舶１が複数の生物防汚システム２００、及び／又は、複数のＵＶ出射要素２１０を備えるこのような生物防汚システム２００のうちの１つ又は複数を備える一実施形態を概略的に示す。例えば水（線）に対する、特定のこのような生物防汚システム２００の高さ、及び／又は、ＵＶ出射要素２１０の高さに依存して、それぞれのＵＶ出射要素２１０は、オンにスイッチングされる。
【０２０３】
図１ｈは、光源２１０、例えばＵＶ  ＬＥＤがグリッドとして配置された、及び、並列接続の直列接続により接続されたチキンワイヤの実施形態を示す。ＬＥＤは、はんだ付け、接着、又は、ＬＥＤをチキンワイヤに接続するための任意の他の知られた電気接続技術を通してノードに搭載され得る。１つ又は複数のＬＥＤが各ノードに配置され得る。ＤＣ又はＡＣ駆動部が実施され得る。ＡＣが使用される場合、逆平行構成の２個のＬＥＤが使用されてよい。当業者は、各ノードにおいて逆平行構成の１組より多くの２個のＬＥＤの組が使用され得ることを理解する。チキンワイヤグリッドの実際の寸法、及びグリッドにおけるＵＶ  ＬＥＤ間の距離は、ハーモニカ構造を伸ばすことにより調節され得る。チキンワイヤグリッドは、光学媒体に埋設される。上述の、特に能動的防止用途が説明され、水との接触、センサーの信号などに依存して生物防汚システム２００はオフにスイッチングし、又は、特定のＵＶ出射要素２１０又は特定の光源２２０をオフにスイッチングする。しかし、代替的に、又は追加的に、さらに警告信号又はメッセージが人に危険性を警告するために使用される。
【０２０４】
図２ａは、光学層３１０がパターン形成された光学層３１０である一実施形態を概略的に示す。１つ又は複数の第１の領域３１１は、第１の層厚ｈ１をもつ光学層材料３１５を含む。１つ又は複数の第２の領域３１２は、０≦ｈ２＜ｈ１の範囲内の第２の層厚ｈ２もつ光学層材料３１５を含む。本例において、ｈ２≠０である。異なる領域が、異なる光学層材料３１５又は同じ光学層材料を含んでよいことに留意されたい。特に第１の光導波路面全体が光学層３１０と物理的に接触している場合、光学層３１０はＵＶ放射光透過性光学層材料３１５を含む。層の厚さ（ｈ１、又はｈ１及びｈ２）は、最も近い光源までの距離に依存し、特に光源により近い場合、ｈ１≠０であり、実施形態において光源から、より遠い場合、ｈ２＝０である。光学層を通した（すなわち高さｈ１（及び／又はｈ２）を通した）ＵＶ放射光の透過は、（すなわち光導波路３００内に戻るように向けられていないＵＶ放射光に対して）特に少なくとも１０％、例えばさらには特に少なくとも２０％、例えば少なくとも４０％、例えば４０〜９５％の範囲内、又はさらには、より高いものである。これは特に、第１の光導波路面３０１に実質的に直交する方向に（光導波路から離れる方向に、したがって、示される層高さｈ１（又は、存在する場合、ｈ２）をもつ光学層を通って）伝播するＵＶ放射光に適用された。
【０２０５】
さらに、本例において例示として、第１の領域及び第２の領域が示される。また、２つより多い異なる領域が適用されてよい。
【０２０６】
図２ｂは、実施形態の組み合わせを概略的に示す。特に、この図は多孔質光学層３１０を概略的に示す。光学層は、参照符号３１３により示される孔又は空洞を含む。これらは、ガス、例えば希ガス又は空気により充填される。さらに、第１の層要素３０は、光学層３１０を備える、及び、光学層３１０の少なくとも一部に接触した第２の層３２０をさらに備える層スタック３を備える。実施形態において、第２の層３２０は、不透水性である。特に第２の層が第１の光導波路面全体を実質的にカバーする場合、第２の層３２０はＵＶ放射光透過性光学層材料３２５を含む。上述のように、光学層は、例えば図２ｂに示されるように、第１の光導波路面全体にわたって構成されてよいが、他の実施形態において、例えば図１ａに示される第１の光導波路面の一部のみにおいて利用可能であってもよい。
【０２０７】
図２ｃは、光源２２０が光導波路３００の外部（左）に構成された、及び、光導波路３００内に少なくとも部分的に構成された変形例を概略的に示す。光源２２０は光出射面２２７を備える。後者の変形例では、光出射面２２７が光導波路３００内に構成される。
【０２０８】
図２ｄは、一実施形態を概略的に示す。光導波路３００がＵＶ放射光透過性液体３０５ａにより充填された閉じた空洞３５０を備える。光導波路３００は、この実施形態において特にシリコーンを含む第１の物質３０５ｂを含む。第１の物質３０５ｂは、空洞３５０を規定する。本例において、実際、光学層３１０は空洞３５０を規定する。ＵＶ放射光透過性液体３０５ａは、例えば脱塩水を含んでよい。このような光導波路要素１３００が生物防汚システムにおいて使用される場合、システムは、液体３０５ａを動かす、例えば循環させるためのポンプを含んでよい。このようなポンプは、本明細書において言及されている制御システムにより制御されてよい。
【０２０９】
図２ｅ及び図２ｆは、（実際に物体におけるコーティングである）例えばシリコーンプレートといった長尺プレート、又は、導水管様システムを含む光導波路３００の２つの変形例を非常に概略的に示す。後者の直径はｄ２として規定される。直径の寸法は、光導波路３００の高さｈ３に対して本明細書において規定されるものと実質的に同じである。前者の変形例に関連して、光導波路は、長さ又は幅より大幅に小さい高さ、例えば少なくとも５分の１の高さをもってよい。図２ｅにおいて、プレートの長さは参照符号ｌ１により示され、幅は参照符号ｗ１により示される。特に、ｗ１／ｈ３≧５であり、ｌ１／ｈ３≧５である。上面、本例では第１の光導波路面３０１（光学層示されていない）は、導出面として使用される。第１の光導波路面３０１の反対側の面は、参照符号３０２により示され、本例において底面である。この面は、反射体を含む。縁部３０３は光導波路３００の外部にある光源を想定したとき、光ＵＶ放射光を光導波路３００内に結合するために使用される。縁部が使用されず、及び／又は光源が光導波路３００内に光出射面をもつ実施形態において、縁部３０３は反射材料を含んでよい。図２ｆにおける光導波路３００の長さは、直径に直交しており、光導波路の延びる軸に沿っている。したがって、光導波路は、実施形態においてファイバーであってよい。
【０２１０】
図３は、層スタック５００の一実施形態を概略的に示す。層スタック５００は第１の層、特に第１のシリコーン層５１０を備える。この第１の層は、第１のシリコーン層５１０の厚さｄ１を規定する第１の表面５１１と第２の表面５１２とを含む。第１のシリコーン層５１０は、２００〜３８０ｎｍの範囲から選択された１つ又は複数の波長を含むＵＶ放射光に対して透過性である。したがって、この範囲から選択された波長をもつＵＶ放射光が第１の表面５１１に当たったとき、第１の層５１０はＵＶ放射光に対して透過性であるので、ＵＶ放射光の少なくとも一部、特に大幅な部分が第２の表面５１２から逃げることにもなる。したがって、この第１の層５１０は光導波路３００としても示される。
【０２１１】
層スタックは、第１の層要素６１０及び第２の層要素６２０のうちの１つ又は複数を備える。本例において、両方の層要素を含む可能な実施形態のうちの１つが示されている。
【０２１２】
第１の層要素６１０は、第１の表面５１１の第１の側に構成される。第１の層要素６１０は、２００〜３８０ｎｍの範囲から選択された１つ又は複数の波長を含むＵＶ放射光に対して透過性である第１の表面５１１と化学結合（図示されていない）により、直接的に（又は第１の中間層を介して）結び付けられる。第１の層要素６１０は第１のシリコーン層５１０と組成において異なる第１の層１２１０を少なくとも備える。第１の層要素は、複数の層をさらに備え、複数の層のうちの少なくとも１つが第１の層と組成において異なる。概して、第１の層要素のすべての層が第１の層と組成において異なる。
【０２１３】
本例において、例示として、第１の層要素は、参照符号１２１１及び１２１２により示される２つの層を備え、層１２１１が第１の層５１０に化学結合され、層１２１２が層１２１１に（化学）結合される。第１の層要素６１０は、２００〜３８０ｎｍの範囲から選択された１つ又は複数の波長を含むＵＶ放射光に対して透過性である。層１２１１は、例えば薄いＡｌ層を備え、層１２１２は、例えばＦＥＰ層を備える。
【０２１４】
第２の層要素６２０は、第２の表面５１２の第２の側に構成される。第２の層要素６２０は、直接的に（又は第２の中間層を介して）第２の表面５１２と化学結合（図示されていない）により結び付けられる。第２の層要素６２０は、第１のシリコーン層５１０と組成において異なる第２の層１２２０を少なくとも備える。第２の層要素は、複数の層をさらに備え、複数の層のうちの少なくとも１つが第２の層と組成において異なる。概して、第２の層要素のすべての層が第２の層と組成において異なる。
【０２１５】
層スタック（５００）は第１のシリコーン層５１０に埋設された１つ又は複数の、特に複数のソリッドステート光源２２０をさらに備える。エネルギーは、外部電源及び／又は内部電源、例えば電池、太陽電池セルなどのうちの１つ又は複数を介して提供される。これらの電気部品は、明確であることを目的として図示されていない。
【０２１６】
したがって、図３は、光導波路要素１３００及び生物防汚システム２００のさらなる実施形態をさらに概略的に示し、独立して使用される、又は組み合わせて適用される複数の変形例が含まれる。
【０２１７】
例えば、この概略的に示される実施形態において光源２２０は、少なくとも部分的に、本例では実質的に完全に光導波路３００に埋設される。したがって、光源が光出射面２２７を備え、光出射面２２７が光導波路３００内に構成される。特に、光出射面は、ソリッドステート光源（２２０）のダイである。
【０２１８】
さらに、光導波路要素１３００は、少なくとも１つの層、本例では例示として２つの層を備える第１のスタック３０を備え、第１の層が光学層３１０であり、第２の層３２０が、例えば保護層として使用される。光学層３１０は、第１の光導波路表面３０１に接触する。参照符号３２５により示される光学層材料３１５及び第２の層材料は、ＵＶ放射光に対して特に透過性である。
【０２１９】
代替的に、又は追加的に、第３の層３３０として示される少なくとも１つの層、本例では例示として１つの層を備える第２のスタック１３０が利用可能である。層スタック、本例において第３の層１３０が第２の光導波路表面３０１に接触する。第３の層は第３の層材料３３５を備え、第３の層材料３３５は実施形態において光学層材料３１５と同一であってよいが、他の実施形態において実質的に反射性であってよく、及び／又は、他の実施形態において接着性であってよい。例えば、第３の層３３０は、光導波路要素１３００を、より正確には物体の表面１１に対して光導波路層３００を配置するために適用される。
【０２２０】
光導波路３００は第１の光導波路表面３０１を含む。第１の層要素３０が利用可能である場合、光導波路要素１３００の外面は、本例では実際に、本明細書において１３０１と表される外層の表面である。したがって、参照符号１３０１は、光導波路要素１３００の外層を示す。放射光出口窓は、第１の光導波路表面３０１と外層１３０１との間における層（スタック）とみなされ得る。
【０２２１】
したがって、上層又は上ホイルが存在し、及び／又は、底層又は上ホイルが存在する。前者は、より広くには光学層として示され、又は、より広くには層スタックに含まれてよい。後者は、より広くには第３の層として示され、又は、より広くには第２の層スタックに含まれてよい。
【０２２２】
上ホイル／層は、特に機械的損傷から光キャリアを保護するために適用される。さらに、上ホイル／層は、ＵＶＣに対して十分に透過性である。
【０２２３】
光学層、又は（第１の）層スタックは、光キャリアの透過性を損なう望ましくない分子の化学物質の侵入からの保護を提供する。
【０２２４】
第２の層は、特に断裂に対する良い耐性をもつ。第２の層は、ＵＶＣ光が表面に出射される前に、シリコーンを通してＵＶＣ光をさらに伝播させるために、シリコーンに比べてより低い屈折率をもつ。これは、シリコーン層が非常に薄い（≦２ｍｍ）場合、又は、シリコーンが非常に透光である場合に、より重要になる。この効果は、光キャリアと上ホイルとの間に、実施形態の光学層としてゾルゲル層を追加することによっても実現される（上記の内容も参照されたい）。
【０２２５】
底ホイルは、特に、光導波路内に向けて表面に戻すように光を反射するように適用されてよい。第３の層は、底側においてそれに他の層を付着させることを可能にする化学界面であってよく、例えばワイヤ及び電子機器を支持するリードフレームである。
【０２２６】
さらに第３の層は、ＵＶＣ光が表面に出射される前にシリコーンを通してさらにＵＶＣ光を伝播させるために、シリコーンに比べて、より低い屈折率をもってよい。この効果は、光キャリアと第３の層との間に、実施形態の光学層として、ゾルゲル層を追加することによって実現されてもよい（上記の内容も参照されたい）。
【０２２７】
第２の層のための、又は第３の層のための、又は第２の層と第３の層との両方のための適切な材料は、ＰＥＴ（ポリエチレンテレフタラート）及びＦＥＰ（フッ素化エチレンプロピレン）の群から選択される。他の物質も可能である。代替的に、又は追加的に、第２の層のための、又は第３の層のための、又は第２の層と第３の層との両方のための適切な材料は、シリコーン材料から選択される（しかし、光導波路材料がシリコーンをさらに含む実施形態における光導波路材料とは異なる）。第２の層の材料と第３の層の材料とは異なる。
【０２２８】
図４ａ〜図４ｅは、いくつかのさらなる態様を概略的に示す。
【０２２９】
図４ａは、第１の層要素６１０と第２の層要素６２０との両方を含む一実施形態を概略的に示す。両方の層要素が例示として、それぞれ参照符号１２１０及び１２２０により示される１つの層を含む。
【０２３０】
図４ｂは、中間層６１５及び６２５がそれぞれ適用される一実施形態を概略的に示す。もちろん、これらのうちの１つのみが、第１の層要素６１０に含まれる第１の中間層６１５として、又は、第２の層要素に含まれる第２の中間層６２５として適用されてもよい。このような中間層を提供する例は、（界面における）プライマーの存在下において官能基により活性化された層に液体シリコーンを適用することである。これは、シリコーンと及び官能基を含む層との間の化学結合をもたらす。
【０２３１】
図４ｃ及び図４ｄは、例示として、例えば第２の層要素６２０（図４ｃ）又は第１の層要素（図４ｄ）を一緒に提供する連続した層における不連続なアルミニウム層の両方と化学結合を生成する可能な実施形態のうちのいくつかを概略的に示す。アルミニウム層は、例えば気相を介して堆積させられる。第１の層５１０は、例えばＣＯＯＨ基により官能基化され、Ａｌ層は、例えばＮＨ２基により官能基化される。互いに接触したとき、化学結合した層スタックが提供される。
【０２３２】
図４ｅは、層スタック５００を提供するための本発明の方法の一実施形態を概略的に示すが、他の実施形態も可能である（上記の内容も参照されたい）。本方法は（ａ）直接的に、又は第１の中間層６１５を介して、シリコーン層５１０の第１の表面５１１と第１の層要素６１０とを化学結合させることにより結び付けることと、（ｂ）直接的に、又は第２の中間層６２５を介して、シリコーン層５１０の第２の表面５１２と第２の層要素６１０とを化学結合させることにより結び付けることとのうちの１つ又は複数により、（ｉ）第１のシリコーン層５１０と、（ｉｉ）第１の層要素６１０及び第２の層要素６２０のうちの１つ又は複数とを結合することを有する。本例において、本方法が物体１０の表面１１の少なくとも一部に層スタック５００を提供することをさらに有する一実施形態がさらに示される。
【０２３３】
まず、実質的に透過性の材料の層が提供され、粒子状材料、例えばＢａＳＯ４及び／又はＢＮが散乱を目的として提供される。この層は、例えばＦＥＰである。ＦＥＰ層は、官能基（図示されていない）により活性化され、（硬化していない）官能基化されたシリコーンが、参照符号１２２０により示されるさらなる層を提供するために、界面にプライマーを使用して、その上に提供されるが、これは第２の中間層６２５としても示される。したがって、官能基により活性化されてもよい提供された第２の層要素６２０及び第１の（シリコーン）層５１０は、スタック５００を提供するために、界面にプライマーを使用して組み合わされる。本例において、第１の（シリコーン）層は光源２２０を備える。さらに、これは、保護層、例えば薄いＡｌ層又はポリマー層と組み合わされる。この実施形態において第１の層要素６１０を提供するこの追加的な層は、参照符号１２１０により示される。
【０２３４】
特に、Ｌｕｍｉｓｉｌ４００光導波路がキシレン環境にさらされて、実験作業が行われた。この実験は、１００μｍの厚さのプラズマ活性化されたＦＥＰホイルを使用してコーティングされた、コーティングＬｕｍｉｓｉｌ４００を使用して繰り返された。さらに、このスタックは同じ手法によりキシレン環境にさらされた。保護されていないＬｕｍｉｓｉｌでは、経時的にＵＶ透過率が下がりながら、キシレンがＬｕｍｉｓｉｌ内に侵入する様子が見られた。これはＵＶ吸収種の存在を示し、本例では例示としてキシレンが選択された。しかし、保護されたＬｕｍｉｓｉｌは、経時的にＵＶ透過率の低下が実質的に見られず、このことはキシレンがＦＥＰ層を介してＬｕｍｉｓｉｌ内に侵入しなかったことを示す。したがって、ＦＥＰ層は、第１のシリコーン層への有機分子の進入に対する適切な保護体である。
【０２３５】
層がキシレンにさらされなかったが電気ケーブルに接触したことを除き、実質的に同じ実験が繰り返された。ポリマー遮蔽体が硬化させられた場合であっても、保護されていないＬｕｍｉｓｉｌが電気ケーブルから有機分子（例えば可塑剤）を吸着する様子が見られ、保護されたＬｕｍｉｓｉｌでは見られなかった。保護されていないＬｕｍｉｓｉｌの場合、物理的な接触のみで既に１日当たり数％の透過の低下を引き起こしたことから、効果はいくぶん強い。例えばＦＥＰを使用した保護が、この問題を実質的に解決する。
【０２３６】
船殻、例えば鋼の船殻におけるスタックのいくつかの実施形態の例及び変形例が次の表に示される。
【０２３７】
【表１】
2020527483.tif 000003
【０２３８】
「複数」という用語は、特に２つ以上を表す。
【０２３９】
本明細書において、例えば、「実質的にすべての光」又は「実質的に、〜からなる」における「実質的に」という用語は、当業者により理解される。「実質的に」という用語は、「全体的に」、「完全に」、「すべての」などを使用した実施形態をさらに含んでよい。したがって、実施形態において、実質的にという形容詞が除去されてもよい。適用可能な場合、「実質的に」という用語は、９０％以上、例えば９５％以上、特に９９％以上、さらには特に９９．５％以上にも関連してよく、１００％を含んでよい。「備える（含む、有する、もつ）」という用語は、「備える（含む、有する、もつ）」という用語が「からなる」を意味する実施形態も含む。「及び／又は」という用語は、特に、「及び／又は」の前と後とにおいて言及される事項の１つ又は複数に関連する。例えば、「項目１及び／又は項目２」という表現及び同様の表現は、項目１及び項目２の１つ又は複数を表してよい。「備える（含む、有する、もつ）」という用語は一実施形態において、「からなる」を表してよく、別の実施形態において、「少なくとも規定の種を含有し、任意選択的に１つ又は複数の他の種を含有すること」をさらに表してよい。
【０２４０】
さらに、本説明及び特許請求の範囲における第１の、第２の、第３のといった用語は、類似の要素を区別するために使用され、逐次的な、又は経時的な順序を説明するとは限らない。そのように使用される用語が適切な状況において互いに置換可能であること、及び、本明細書において説明される本発明の実施形態が本明細書において説明又は例示される順序と異なる他の順序での動作が可能であることが理解される。
【０２４１】
本明細書におけるデバイスは、特に動作中について説明される。当業者に明らかなように、本発明は、動作の方法又は動作中のデバイスに限定されない。
【０２４２】
上述の実施形態が本発明を限定するのではなく例示すること、及び、当業者が添付の請求項の範囲から逸脱することなく多くの代替的な実施形態を設計することが可能であることに留意されなければならない。特許請求の範囲において、括弧内に位置するいずれの参照符号も、請求項を限定すると解釈されてはならない。「備える（含む、有する、もつ）」という動詞及びその活用形の使用は、請求項に記載された要素及びステップ以外の要素及びステップの存在を否定するわけではない。単数形の表現は、複数のこのような要素の存在を否定するわけではない。本発明は、いくつかの区別される要素を備えるハードウェアにより、及び適切にプログラムされたコンピュータにより実施されてよい。いくつかの手段を列挙したデバイスの請求項において、これらの手段のうちのいくつかが同じ１つのハードウェア物品により具現化されてよい。単に特定の手段が相互に異なる従属請求項に記載されているということが、利点を得るためにこれらの手段の組み合わせが使用不可能なことを示すわけではない。
【０２４３】
本発明は、本説明において説明される、及び／又は、添付図面に示される特定の特徴の１つ又は複数を備えるデバイスにさらに適用される。本発明は、本説明において説明される、及び／又は、添付図面に示される特定の特徴のうちの１つ又は複数を備える方法又は工程にさらに関連する。
【０２４４】
この特許において説明される様々な態様は、追加的な利点を提供するために組み合わされ得る。さらに、特徴のうちのいくつかは、１つ又は複数の分割出願のための基礎を形成し得る。
【図１Ａ】
2020527483.tif 000004
【図１Ｂ】
2020527483.tif 000005
【図１Ｃ】
2020527483.tif 000006
【図１Ｄ】
2020527483.tif 000007
【図１Ｅ】
2020527483.tif 000008
【図１Ｆ】
2020527483.tif 000009
【図１Ｇ】
2020527483.tif 000010
【図１Ｈ】
2020527483.tif 000011
【図２Ａ】
2020527483.tif 000012
【図２Ｂ】
2020527483.tif 000013
【図２Ｃ】
2020527483.tif 000014
【図２Ｄ】
2020527483.tif 000015
【図２Ｅ】
2020527483.tif 000016
【図２Ｆ】
2020527483.tif 000017
【図３】
2020527483.tif 000018
【図４Ａ】
2020527483.tif 000019
【図４Ｂ】
2020527483.tif 000020
【図４Ｃ】
2020527483.tif 000021
【図４Ｄ】
2020527483.tif 000022
【図４Ｅ】
2020527483.tif 000023
【国際調査報告】
2020527483.tif 000024
2020527483.tif 000025
2020527483.tif 000026
2020527483.tif 000027
2020527483.tif 000028